(57)【要約】  基準信号構成情報を示すための方法、基地局、及び端末が提供される。方法は、第一の通信ノードが、ジョイントシグナリングを決定し、第一の通信ノードが、ジョイントシグナリングを第二の通信ノードに送信することを含む。ジョイントシグナリングは、第一の情報及び第二の情報を含む。第一の情報は、準コロケーション構成情報と、送信ビームの構成情報とのうちの少なくとも一つを含む。第二の情報は、位相追跡基準信号の構成情報と、復調基準信号の構成情報とのうちの少なくとも一つを含む。【選択図】図２
2020529797.tif 000002
【特許請求の範囲】
【請求項１】
基準信号構成情報を示すための方法であって、
ジョイントシグナリングを決定することであって、前記ジョイントシグナリングは、第一の情報及び第二の情報を備え、前記第一の情報は、準コロケーション構成情報と、送信ビームの構成情報とのうちの少なくとも一つを備え、前記第二の情報は、位相追跡基準信号の構成情報と、復調基準信号の構成情報とのうちの少なくとも一つを備える、決定することと、
前記ジョイントシグナリングを送信することであって、前記ジョイントシグナリングは、基準信号構成情報を示すために使用される、送信することとを備えた、方法。
【請求項２】
前記復調基準信号の前記構成情報は、前記復調基準信号のシンボル数と、前記復調基準信号のタイプと、前記復調基準信号の符号分割タイプと、復調基準信号ポートの順序と、前記復調基準信号のポートマッピング情報とのうちの少なくとも一つを備えた、請求項１に記載の方法。
【請求項３】
前記準コロケーション構成情報は、一つ以上の準コロケーションパラメータサブセットを備え、復調基準信号ポートは、前記復調基準信号のタイプ１ポートグループを一つ以上備え、前記一つ以上の準コロケーションパラメータサブセットのおのおのは、前記復調基準信号の前記一つ以上のタイプ１ポートグループのそれぞれに対応する、請求項１に記載の方法。
【請求項４】
上位レイヤシグナリングによって、
前記準コロケーションパラメータサブセットの最大数と、
前記復調基準信号のタイプ１ポートグループの最大数と
のうちの少なくとも一つを構成することをさらに備えた、請求項１に記載の方法。
【請求項５】
前記位相追跡基準信号の前記構成情報は、位相追跡基準信号ポートの数と、前記位相追跡基準信号のポート識別子の一つ以上と、前記位相追跡基準信号ポートの最大数とのうちの少なくとも一つを備えた、請求項１に記載の方法。
【請求項６】
前記準コロケーション構成情報が、一つ以上の準コロケーションパラメータサブセットを備えている場合、前記ジョイントシグナリングは、前記一つ以上の準コロケーションパラメータサブセットと、前記位相追跡基準信号のポート識別子の一つ以上とを備え、前記一つ以上の準コロケーションパラメータサブセットのおのおのは、前記位相追跡基準信号ポートのそれぞれに対応する、請求項１又は５に記載の方法。
【請求項７】
前記位相追跡基準信号ポートの前記最大数は、前記準コロケーションパラメータサブセットの前記最大数に等しい、請求項１又は５に記載の方法。
【請求項８】
前記ジョイントシグナリングはさらに、
前記復調基準信号の前記タイプ１ポートグループが、一つの位相追跡基準信号を共有するか否か、又は、前記ポートグループが、前記準コロケーションパラメータの一部に関して準コロケートされているか否かを示すために使用される、請求項３に記載の方法。
【請求項９】
前記復調基準信号の二つのタイプ１ポートグループが、前記準コロケーションパラメータに関して準コロケートされている場合、前記復調基準信号のタイプ１ポートグループの前記二つが、一つの位相追跡基準信号を共有し、前記準コロケーションパラメータの一部は、ドップラ拡散及びドップラシフトを備えた、請求項８に記載の方法。
【請求項１０】
一つの位相追跡基準信号は、前記復調基準信号のタイプ２ポートグループの一つに対応し、前記復調基準信号の前記タイプ２ポートグループは、前記復調基準信号のタイプ１ポートグループを一つ以上備えた、請求項１、８又は９に記載の方法。
【請求項１１】
前記ジョイントシグナリングを送信する通信ノードは、準コロケーションパラメータサブセットの数にしたがって、前記復調基準信号の前記符号分割タイプを決定し、
各符号分割グループにおけるすべての復調基準信号ポートは、同じ準コロケーションパラメータを有し、異なる符号分割グループにおける前記復調基準信号ポートの前記準コロケーションパラメータは、同じであるか、又は異なり、
符号分割グループタイプ１の符号分割グループに含まれる前記復調基準信号（ＤＭＲＳ）ポートは、時間領域において使用される同じ符号、及び周波数領域において使用される異なる符号を有し、符号分割グループタイプ２の符号分割グループは、符号分割グループタイプ１の符号分割グループを二つ備え、前記符号分割グループタイプ１の前記二つの符号分割グループに含まれる前記復調基準信号ポートは、同じ時間周波数リソースを占有し、異なる時間領域符号を有する、請求項１に記載の方法。
【請求項１２】
両通信パーティの通信ノードは、前記復調基準信号の前記構成情報の状態を示す複数の情報が、同じ復調基準信号ポートを備え、状態を示す前記複数の情報によって示される復調基準信号ポートの順序が異なることを承知している、請求項１に記載の方法。
【請求項１３】
前記復調基準信号ポートの異なる順序は、異なる準コロケーションパラメータに対応する、請求項１２に記載の方法。
【請求項１４】
二つの準コロケーションパラメータセット及び六つの復調基準信号ポートが構成されたことと、
前記六つの復調基準信号ポートが、前記復調基準信号の一つの時間領域シンボルのみにマッピングされたことを判定することと、
に応じて、
前記ジョイントシグナリングを送信する通信ノードのすべての復調基準信号ポートは、前記二つの準コロケーションパラメータセットのうち第二の準コロケーションパラメータセットではなく、前記二つの準コロケーションパラメータセットのうち第一の準コロケーションパラメータセットを使用する、請求項１に記載の方法。
【請求項１５】
前記ジョイントシグナリングは、前記送信ビームの前記構成情報と、前記位相追跡基準信号の前記構成情報とのうちの少なくとも一つを示す、請求項１又は５に記載の方法。
【請求項１６】
前記送信ビームの前記構成情報は、サウンディング基準信号リソースを示す情報と、プリコーディング情報インジケーションとのうちの少なくとも一つを備えた、請求項１５に記載の方法。
【請求項１７】
前記サウンディング基準信号リソースを示す情報は、前記位相追跡基準信号のポート情報を備えた、請求項１６に記載の方法。
【請求項１８】
上位レイヤシグナリングによって構成される前記サウンディング基準信号のリソース構成情報は、前記位相追跡基準信号のポート識別子を備えた、請求項１６に記載の方法。
【請求項１９】
前記サウンディング基準信号の一つ以上のリソースは、サウンディング基準信号リソースセットを構築し、各サウンディング基準信号リソースセットは、前記位相追跡基準信号の同じポート情報に対応する、請求項１６に記載の方法。
【請求項２０】
基準信号情報を示すための方法であって、
ジョイントシグナリングを受信することであって、前記ジョイントシグナリングは、第一の情報及び第二の情報を備え、前記第一の情報は、準コロケーション構成情報と、送信ビームの構成情報とのうちの少なくとも一つを備え、前記第二の情報は、位相追跡基準信号の構成情報と、復調基準信号の構成情報とのうちの少なくとも一つを備える、受信することと、
前記ジョイントシグナリングにしたがって、前記ジョイントシグナリングを送信する通信ノードとのデータ送信を実行することであって、前記ジョイントシグナリングは、基準信号構成情報を示すために使用される、実行することとを備えた、方法。
【請求項２１】
前記復調基準信号の前記構成情報は、前記復調基準信号のシンボル数と、前記復調基準信号のタイプと、前記復調基準信号の符号分割タイプと、前記復調基準信号ポートの順序と、前記復調基準信号のポートマッピング情報とのうちの少なくとも一つを備えた、請求項２０に記載の方法。
【請求項２２】
前記準コロケーション構成情報は、一つ以上の準コロケーションパラメータサブセットを備え、前記復調基準信号ポートは、前記復調基準信号のタイプ１ポートグループを一つ以上備え、前記一つ以上の準コロケーションパラメータサブセットのおのおのは、前記復調基準信号の前記一つ以上のタイプ１ポートグループのそれぞれに対応する、請求項２０に記載の方法。
【請求項２３】
上位レイヤシグナリングによって構成された、
前記準コロケーションパラメータサブセットの最大数と、
前記復調基準信号の前記タイプ１ポートグループの最大数と
のうちの少なくとも一つを受信することをさらに備えた、請求項２０に記載の方法。
【請求項２４】
前記位相追跡基準信号の前記構成情報は、位相追跡基準信号ポートの数と、前記位相追跡基準信号のポート識別子の一つ以上と、前記位相追跡基準信号ポートの最大数とのうちの少なくとも一つを備えた、請求項２０に記載の方法。
【請求項２５】
前記準コロケーション構成情報が、一つ以上の準コロケーションパラメータサブセットを備えている場合、前記ジョイントシグナリングは、前記一つ以上の準コロケーションパラメータサブセットと、前記位相追跡基準信号のポート識別子の一つ以上とを備え、前記一つ以上の準コロケーションパラメータサブセットのおのおのは、前記位相追跡基準信号ポートのそれぞれに対応する、請求項２０又は２４に記載の方法。
【請求項２６】
前記位相追跡基準信号ポートの前記最大数は、前記準コロケーションパラメータサブセットの前記最大数に等しい、請求項２０又は２３に記載の方法。
【請求項２７】
前記ジョイントシグナリングによって示される以下の情報、すなわち、
前記復調基準信号の前記タイプ１ポートグループが、一つの位相追跡基準信号を共有するか否か、又は、前記ポートグループが、前記準コロケーションパラメータの一部に関して準コロケートされているか否かを受信することをさらに備えた、請求項２０に記載の方法。
【請求項２８】
前記復調基準信号のタイプ１ポートグループ二つが、前記準コロケーションパラメータに関して準コロケートされている場合、前記復調基準信号の前記二つのタイプ１ポートグループは、一つの位相追跡基準信号を共有し、前記準コロケーションパラメータの前記一部は、ドップラ拡散及びドップラシフトを備えた、請求項２７に記載の方法。
【請求項２９】
一つの位相追跡基準信号は、前記復調基準信号のタイプ２ポートグループ一つに対応し、前記復調基準信号の前記タイプ２ポートグループは、前記復調基準信号のタイプ１ポートグループを一つ以上備えた、請求項２０又は２８に記載の方法。
【請求項３０】
前記ジョイントシグナリングを送信する通信ノードは、準コロケーションパラメータサブセットの数にしたがって、前記復調基準信号の符号分割タイプを決定し、各符号分割グループにおけるすべての復調基準信号ポートは、同じ準コロケーションパラメータを有し、異なる符号分割グループにおける前記復調基準信号ポートの前記準コロケーションパラメータは、同じであるか、又は異なり、
符号分割グループタイプ１の符号分割グループに含まれる前記復調基準信号（ＤＭＲＳ）ポートは、時間領域において使用される同じ符号、及び周波数領域において使用される異なる符号を有し、符号分割グループタイプ２の符号分割グループは、符号分割グループタイプ１の符号分割グループを二つ備え、前記符号分割グループタイプ１の前記二つの符号分割グループに含まれる前記復調基準信号ポートは、同じ時間周波数リソースを占有し、異なる時間領域符号を有する、請求項２０に記載の方法。
【請求項３１】
両通信パーティの通信ノードは、前記復調基準信号の前記構成情報の状態を示す複数の情報が、同じ復調基準信号ポートを備え、状態を示す前記複数の情報によって示される復調基準信号ポートの順序が異なることを承知している、請求項２０に記載の方法。
【請求項３２】
前記復調基準信号ポートの異なる順序は、異なる準コロケーションパラメータに対応する、請求項３１に記載の方法。
【請求項３３】
二つの準コロケーションパラメータセット及び六つの復調基準信号ポートが構成されたことと、
前記六つの復調基準信号ポートが、前記復調基準信号の時間領域シンボル一つのみにマッピングされたことと、
を判定することに応じて、
前記ジョイントシグナリングを送信する通信ノードのすべての復調基準信号ポートは、前記二つの準コロケーションパラメータセットのうち第二の準コロケーションパラメータセットではなく、前記二つの準コロケーションパラメータセットのうち第一の準コロケーションパラメータセットを使用する、請求項２０に記載の方法。
【請求項３４】
前記ジョイントシグナリングは、前記送信ビームの前記構成情報と、前記位相追跡基準信号の前記構成情報とのうちの少なくとも一つを受信する、請求項２０又は２４に記載の方法。
【請求項３５】
前記送信ビームの前記構成情報は、サウンディング基準信号リソースを示す情報と、プリコーディング情報インジケーションとのうちの少なくとも一つを備えた、請求項３４に記載の方法。
【請求項３６】
前記サウンディング基準信号リソースを示す情報は、前記位相追跡基準信号のポート情報を備えた、請求項３５に記載の方法。
【請求項３７】
上位レイヤシグナリングによって構成される前記サウンディング基準信号のリソース構成情報は、前記位相追跡基準信号のポート識別子を備えた、請求項３５に記載の方法。
【請求項３８】
前記サウンディング基準信号のリソースの一つ以上は、サウンディング基準信号リソースセットを構築し、各サウンディング基準信号リソースセットは、前記位相追跡基準信号の同じポート情報に対応する、請求項３５に記載の方法。
【請求項３９】
基地局であって、
ジョイントシグナリングを決定するように構成された第一のプロセッサであって、前記ジョイントシグナリングは、第一の情報及び第二の情報を備え、前記第一の情報は、準コロケーション構成情報と、送信ビームの構成情報とのうちの少なくとも一つを備え、前記第二の情報は、位相追跡基準信号の構成情報と、復調基準信号の構成情報とのうちの少なくとも一つを備える、第一のプロセッサと、
前記ジョイントシグナリングを第二の通信ノードへ送信するように構成された第一の通信デバイスとを備えた、基地局。
【請求項４０】
端末であって、
第一の通信デバイスによって送信されたジョイントシグナリングを受信するように構成された第二の通信デバイスであって、前記ジョイントシグナリングは、第一の情報及び第二の情報を備え、前記第一の情報は、準コロケーション構成情報と、送信ビームの構成情報とのうちの少なくとも一つを備え、前記第二の情報は、位相追跡基準信号の構成情報と、復調基準信号の構成情報とのうちの少なくとも一つを備える、第二の通信デバイスと、
前記ジョイントシグナリングにしたがって、第一の通信ノードによって送信されたデータを受信し、及び／又は、前記第一の通信ノードとのデータ送信を実行するように構成された第二のプロセッサとを備えた、端末。
【請求項４１】
第一の通信ノードに適用され、基準信号情報を示すためのデバイスであって、
ジョイントシグナリングを決定するように構成された決定モジュールであって、前記ジョイントシグナリングは、第一の情報及び第二の情報を備え、前記第一の情報は、準コロケーション構成情報と、送信ビームの構成情報とのうちの少なくとも一つを備え、前記第二の情報は、位相追跡基準信号の構成情報と、復調基準信号の構成情報とのうちの少なくとも一つを備える、決定モジュールと、
前記ジョイントシグナリングを第二の通信ノードへ送信するように構成された送信モジュールとを備えた、デバイス。
【請求項４２】
第二の通信ノードに適用され、基準信号情報を示すためのデバイスであって、
第一の通信によって送信されたジョイントシグナリングを受信するように構成された受信モジュールであって、前記ジョイントシグナリングは、第一の情報及び第二の情報を備え、前記第一の情報は、準コロケーション構成情報と、送信ビームの構成情報とのうちの少なくとも一つを備え、前記第二の情報は、位相追跡基準信号の構成情報と、復調基準信号の構成情報とのうちの少なくとも一つを備える、受信モジュールと、
前記ジョイントシグナリングにしたがって、前記第一の通信ノードによって送信されたデータを受信し、及び／又は、前記第一の通信ノードとのデータ送信を実行するように構成された送信モジュールとを備えた、デバイス。
【請求項４３】
格納されたプログラムを備えた記憶媒体であって、実行された場合、前記プログラムは、請求項１から１９又は２０から３８のいずれか一項に記載の方法を実行する、記憶媒体。
【請求項４４】
プログラムを実行するためのプロセッサであって、実行された場合、前記プログラムは、請求項１から１９又は２０から３８のいずれか一項に記載の方法を実行する、プロセッサ。
【発明の詳細な説明】
【技術分野】
【０００１】
本願は、通信の分野に関するが、それに限定されず、特に、基準信号構成情報を示すための方法、基地局、及び端末に関する。
【０００２】
［関連出願の相互参照］
本願は、２０１７年８月９日に出願された中国特許出願番号第２０１７１０６７７４９９．３号に基づき、その優先権を主張し、その開示はその全体が参照により本明細書に組み込まれる。
【０００３】
［背景］
関連技術では、高周波での位相雑音を推定するために位相雑音追跡基準信号（ＰＴＲＳ）を導入する必要がある。一般に、一つの送信受信ポイント（ＴＲＰ）の一つのアンテナパネルは、一つの水晶発振器を使用するため、一つのアンテナパネルからの複数の復調基準信号（ＤＭＲＳ）ポートは、一つのＰＴＲＳポートを共有し得、すなわち、ＰＴＲＳポートの推定結果が、一つのアンテナパネルからの複数のＤＭＲＳポートのために使用され得る。一つのＴＲＰの複数のパネルが、一つの水晶発振器を共有する場合、一つのＴＲＰからのすべてのＤＭＲＳポートが、一つのＰＴＲＳポートを共有し得る。しかしながら、現時点では、ＰＴＲＳポートの数を知る方法と、ＰＴＲＳポートの数をユーザに通知する方法についてはコンセンサスがない。ＰＴＲＳポートの数の準静的な通知には柔軟性はない一方、ダウンリンク制御情報（ＤＣＩ）の柔軟な通知には、物理レイヤのシグナリングオーバヘッドが必要である。さらに、フロントロードされた基準信号のタイプとシンボル量を構成する方法についてのコンセンサスもない。ＤＣＩの柔軟な通知には物理レイヤのシグナリングオーバヘッドが必要であるが、上位レイヤシグナリングの準静的な構成では、マルチセル送信において問題が発生する。
【０００４】
現在、第三世代パートナシッププロジェクト（３ＧＰＰ）の無線アクセスネットワーク（ＲＡＮ）１において、新無線（ＮＲ）物理レイヤ技術が熱心に議論されている。柔軟性と効率性は、ＮＲ物理レイヤの設計で常に追求されてきた目標である。また、物理レイヤの基準信号の最大の柔軟性を追求することもトレンドであると思われる。これは、基準信号を復調するための要件が、異なるアプリケーションシナリオによって異なる場合があるためである。さらに、ＮＲは高周波でのデータ送信をサポートしているため、雨やプラントの吸収による減衰など、巨大な経路損失や高周波での他の損失を補償するには、マルチアンテナビームフォーミング技術が必要である。高周波でのビームフォーミング技術は、デジタルビームフォーミング、アナログビームフォーミング、デジタルとアナログのハイブリッドビームフォーミングに分けられ得る。デジタルビームフォーミング技術では、送信側は、チャネル状態について比較的よく知る必要がある、すなわち、各アンテナポートのチャネル情報を知る必要があるため、膨大な基準信号オーバヘッドが問題になる。そのため、アナログビームフォーミングが広く注目されている。ビームフォーミング方法は、送信側で実施され得、受信側でも実施され得る。たとえば、基地局は、異なる送信ビームを使用してデータをユーザに送信し得、また、ユーザは、異なる受信ビームを使用してデータを受信し得る。
【０００５】
ロングタームエボリューション（ＬＴＥ）では、準コロケーション（ＱＣＬ）パラメータセットは、主に、平均利得、遅延拡散、ドップラ拡散、ドップラシフト、及び平均遅延を含む。マルチＴＲＰ送信を実行する場合、基地局は、ユーザのＤＭＲＳと準コロケートされた基準信号、及びＰＤＳＣＨマッピングパラメータをユーザに通知する必要がある。このように、ユーザは、構成された基準信号のＱＣＬパラメータ情報を使用して、データを復調し得る。
【０００６】
しかしながら、関連技術では、基準信号情報をユーザに通知すると、追加の物理レイヤオーバヘッドが生じ、それにより、膨大なシグナリング及び物理レイヤオーバヘッドの問題が生じる。
【０００７】
［サマリー］
本願の実施形態は、基準信号構成情報を示すための方法、基地局、及び端末を提供する。
【０００８】
本願の実施形態によって提供される基準信号情報を示すための方法は、ジョイントシグナリングを決定することと、ジョイントシグナリングを送信することとを含む。ジョイントシグナリングは、基準信号構成情報を示すために使用される。ジョイントシグナリングは、第一の情報及び第二の情報を含む。第一の情報は、準コロケーション構成情報と、送信ビームの構成情報とのうちの少なくとも一つを含む。第二の情報は、位相追跡基準信号の構成情報と、復調基準信号の構成情報とのうちの少なくとも一つを含む。
【０００９】
本願の別の実施形態によって提供される基準信号情報を示すための方法は、ジョイントシグナリングを受信することと、ジョイントシグナリングにしたがって、ジョイントシグナリングを送信する通信ノードとのデータ送信を実行することとを含む。ジョイントシグナリングは、第一の情報及び第二の情報を含む。第一の情報は、準コロケーション構成情報と、送信ビームの構成情報とのうちの少なくとも一つを含み、第二の情報には、位相追跡基準信号の構成情報と、復調基準信号の構成情報とのうちの少なくとも一つを含む。ジョイントシグナリングは、基準信号構成情報を示すために使用される。
【００１０】
本願の別の実施形態によって基地局が提供され、基地局は、ジョイントシグナリングを決定するように構成された第一のプロセッサであって、ジョイントシグナリングは、第一の情報及び第二の情報を含み、第一の情報は、準コロケーション構成情報と、送信ビームの構成情報とのうちの少なくとも一つを含み、第二の情報は、位相追跡基準信号の構成情報と、復調基準信号の構成情報とのうちの少なくとも一つを含む、第一のプロセッサと、ジョイントシグナリングを第二の通信ノードに送信するために使用される第一の通信デバイスとを含む。
【００１１】
本願の別の実施形態によって端末が提供され、端末は、第一の通信によって送信されたジョイントシグナリングを受信するように構成された第二の通信デバイスであって、ジョイントシグナリングは、第一の情報及び第二の情報を含み、第一の情報は、準コロケーション構成情報と、送信ビームの構成情報とのうちの少なくとも一つを含み、第二の情報は、位相追跡基準信号の構成情報と、復調基準信号の構成情報とのうちの少なくとも一つを含む、第二の通信デバイスと、ジョイントシグナリングにしたがって、第一の通信ノードによって送信されたデータを受信し、及び／又は、第一の通信ノードとのデータ送信を実行するように構成された第二のプロセッサとを含む。
【００１２】
基準信号情報を示すためのデバイスは、本願の別の実施形態によって提供される。デバイスは、第一の通信ノードに適用され、ジョイントシグナリングを決定するように構成された決定モジュールであって、ジョイントシグナリングは、第一の情報及び第二の情報を含み、第一の情報は、準コロケーション構成情報と、送信ビームの構成情報とのうちの少なくとも一つを含み、第二の情報は、位相追跡基準信号の構成情報と、復調基準信号の構成情報とのうちの少なくとも一つを含む、決定モジュールと、ジョイントシグナリングを第二の通信ノードに送信するように構成された送信モジュールとを含む。
【００１３】
基準信号情報を示すためのデバイスは、本願の別の実施形態によって提供される。デバイスは、第二の通信ノードに適用され、第一の通信によって送信されたジョイントシグナリングを受信するように構成された受信モジュールであって、ジョイントシグナリングは、第一の情報及び第二の情報を含み、第一の情報は、準コロケーション構成情報と、送信ビームの構成情報とのうちの少なくとも一つを含み、第二の情報は、位相追跡基準信号の構成情報と、復調基準信号の構成情報とのうちの少なくとも一つを含む、受信モジュールと、ジョイントシグナリングにしたがって、第一の通信ノードによって送信されたデータを受信し、及び／又は、第一の通信ノードとのデータ送信を実行するように構成された送信モジュールとを含む。
【００１４】
記憶媒体は、本願の別の実施形態によって提供される。記憶媒体は、格納されたプログラムを含む。実行されると、プログラムは、上記実施形態のうちのいずれか一つの方法を実行する。
【００１５】
本願の別の実施形態により、プロセッサが提供される。プロセッサは、プログラムを実行するために使用される。実行されると、プログラムは、上記実施形態のうちのいずれか一つの方法を実行する。
【００１６】
本願では、第一の通信ノードは、ジョイントシグナリングを決定し、ジョイントシグナリングは、第一の情報及び第二の情報を含み、第一の情報は、準コロケーション構成情報と、送信ビームの構成情報とのうちの少なくとも一つを含み、第二の情報は、位相追跡基準信号の構成情報と、復調基準信号の構成情報とのうちの少なくとも一つを含み、第一の通信ノードは、ジョイントシグナリングを第二の通信ノードに送信する。上記技術的解決策により、ジョイントシグナリングは、関連技術においてユーザに基準信号情報を通知することによって生じる膨大な物理レイヤオーバヘッド及びシグナリングオーバヘッドの問題を解決する。基準信号情報がユーザ端末に正確に通知されることを保証する場合、ジョイントシグナリングは、物理レイヤオーバヘッド及びシグナリングオーバヘッドを低減する。
【００１７】
本明細書に記載される図面は、本願のさらなる理解を提供し、本願の一部を形成するために使用される。本願における例示的な実施形態及びその説明は、本願を説明するために使用され、いかなる不適切な方式でも本願を限定するために使用されない。
【図面の簡単な説明】
【００１８】
【図１】本発明の実施形態にしたがって基準信号情報を示すための方法のモバイル端末のハードウェア構成を示すブロック図である。
【図２】本願の実施形態にしたがって基準信号情報を示すための方法のフローチャートである。
【図３】例１にしたがう復調基準信号タイプ２の概略図１である。
【図４】例１にしたがう復調基準信号タイプ２の概略図２である。
【図５】例１にしたがって一つの発振器を共有する複数のＤＭＲＳポートグループの概略図である。
【図６】例１ａにしたがう復調基準信号タイプ１の概略図１である。
【図７】例１ａにしたがう復調基準信号タイプ１の概略図２である。
【図８】例２にしたがうマルチポイント動的スイッチング送信の概略図である。
【図９】本願の実施形態にしたがう基地局のハードウェア構成を示す図である。
【図１０】本願の実施形態にしたがう端末のハードウェア構成を示す図である。
【発明を実施するための形態】
【００１９】
本願の実施形態は、（５Ｇモバイル通信ネットワークを含むがこれに限定されない）モバイル通信ネットワークを提供する。このネットワークのネットワークアーキテクチャは、（基地局などの）ネットワーク側デバイスと、端末とを含む。ネットワークアーキテクチャ上で実行される情報送信方法は、実施形態によって提供される。本願の実施形態によって提供される情報送信方法の実行環境は、上記ネットワークアーキテクチャに限定されないことに留意されたい。本願では、第一の通信ノードは、基地局などのネットワーク側デバイスであり得、第二の通信ノードは、端末であり得ることに留意されたい。もちろん、他の場合も除外されず、たとえば、第一の通信ノードは、一般にユーザを指し、第二の通信ノードもまた、一般にユーザを指し、この方法は、デバイスツーデバイス（Ｄ２Ｄ）通信に適用され得る。
【００２０】
本願の一つの実施形態によって提供される方法の実施形態は、モバイル端末、コンピュータ端末、又は他の類似のコンピューティングデバイスにおいて実行され得る。以下の説明では、モバイル端末において実行される方法を、例として取り上げる。図１は、本発明の実施形態にしたがって基準信号情報を示すための方法のモバイル端末のハードウェア構成を示すブロック図である。図１に示すように、モバイル端末１０は、一つ以上の（図１では一つのみを示す）プロセッサ１０２（プロセッサ１０２は、マイクロプロセッサ（ＭＣＵ）、ＦＰＧＡなどのプログラマブルロジックデバイス、又は他のプロセシングデバイスを含み得るが、これらに限定されない）と、データを格納するように構成されたメモリ１０４と、通信機能を実施するための通信デバイス１０６とを含み得る。当業者であれば、図１に示された構成は、単なる例示であり、上記電子デバイスの構成を限定することは意図されていないことを理解するであろう。たとえば、モバイル端末１０は、図１に示されているよりも多い又は少ないコンポーネントをさらに含み得るか、又は、図１に示した構成と異なる構成を有し得る。
【００２１】
メモリ１０４は、本願の実施形態における基準信号情報を示すための方法に対応するプログラム命令／モジュールなどのアプリケーションソフトウェアのソフトウェアプログラム及びモジュールを格納するように構成され得る。プロセッサ１０２は、メモリ１０４に格納されたソフトウェアプログラム及びモジュールを実行して、様々な機能的アプリケーション及びデータ処理を実行する、すなわち、上記方法を実施する。メモリ１０４は、高速ランダムアクセスメモリを含み得、さらに、一つ以上の磁気記憶デバイス、フラッシュメモリ、又は他の不揮発性固体メモリなどの不揮発性メモリを含み得る。いくつかの例では、メモリ１０４は、プロセッサ１０２に対してリモートに配置されたメモリをさらに含み得る。これらのリモートメモリは、ネットワークを介してモバイル端末１０に接続され得る。そのようなネットワークの例は、インターネット、イントラネット、ローカルエリアネットワーク、モバイル通信ネットワーク、及びこれらの組合せを含むが、これらに限定されない。
【００２２】
通信デバイス１０６は、ネットワークを介してデータを受信又は送信するように構成される。そのような上記ネットワークの具体例は、モバイル端末１０の通信プロバイダによって提供されるワイヤレスネットワークを含み得る。一例では、通信デバイス１０６は、ネットワークインターフェースコントローラ（ＮＩＣ）を含み、これは、基地局を介して他のネットワークデバイスへ接続され得、したがって、インターネットと通信することができる。一例では、通信１０６は、ワイヤレス方式でインターネットと通信するために使用される無線周波数（ＲＦ）モジュールであり得る。
【００２３】
ロングタームエボリューション（ＬＴＥ）では、基地局は、上位レイヤシグナリングを介して、ＰＱＩ（データチャネルマッピング及びＱＣＬインジケーション情報）を、ＬＴＥ規格３６．２１３の表７．１．９−１における情報構成に類似するように構成する。規格３６．２１３で説明されているように、一般に、基地局は、上位シグナリングにより、物理ダウンリンク共有チャネル（ＰＤＳＣＨ）ＲＥマッピング及び準コロケーションインジケータを示すための複数のパラメータセット（四つのセットなど）を構成する。規格３６．２１２では、ＤＣＩフォーマット２Ｄで説明されているように、基地局は、２ビットなどのいくつかのビットシグナリングを使用して、上位レイヤシグナリングで構成されているものを示す。動的ポイント選択（ＤＰＳ）スケジューリングの場合、複数のＰＱＩパラメータセットは、異なるＴＲＰ送信に対応し得る。
【００２４】
高周波での異なる受信ビームによるデータ復調の効果は異なるため、基地局は、データを受信するために使用される受信ビームをユーザに示す必要がある。又は、基地局は、ＱＣＬパラメータを使用して、以前に送信された特定の基準信号がビームインジケーションの受信に使用されることをユーザに示す。すなわち、ユーザは、データ又はＤＭＲＳを受信するとき、受信するために、基地局によって示される基準信号の受信ビームを使用する。この基準信号は、以前に送信されており、通常は、ビーム管理のために周期的に送信されるため、ユーザは、この基準信号を受信することによって、使用される最良の受信ビームをすでに知っている。
【００２５】
したがって、ＮＲでは、ビームインジケーションを受信するために使用されるパラメータ、すなわち空間Ｒｘパラメータが、ＱＣＬパラメータセットに追加される。したがって、ＮＲにおけるＱＣＬパラメータセットは、平均利得、遅延拡散、ドップラ拡散、ドップラシフト、平均遅延、及び空間Ｒｘパラメータを含む。空間Ｒｘパラメータは、一つ以上の基準信号を含み得る。
【００２６】
ＬＴＥと同様に、ＮＲは、マルチＴＲＰ送信、すなわち、調整された複数ポイント送信／受信（ＣｏＭＰ）もサポートする。ＣｏＭＰ技術は、動的ポイント選択（ＤＰＳ）やジョイント送信（ＪＴ）などの複数の送信スキームを含む。異なるＴＲＰ又は送信ビームは、完全に異なる又は部分的に異なるＱＣＬパラメータを有し得るので、ＪＴを実行するとき、異なるＴＲＰから異なるＤＭＲＳポートがある場合、これらのＤＭＲＳポートのＱＣＬパラメータは、異なり得る。
【００２７】
さらに、高周波での位相雑音を推定するために、位相雑音追跡ＲＳ（ＰＴＲＳ）が必要とされ得る。これは、高周波では、位相雑音が、時間領域における復調基準信号の推定精度を大幅に低下させるため、システム送信効率を低下させる。一般に、一つのＴＲＰの一つのアンテナパネルが一つの発振器を使用するため、一つのアンテナパネルの複数のＤＭＲＳポートが、一つのＰＴＲＳポートを共有し得る。すなわち、一つのアンテナパネルの複数のＤＭＲＳポートに対して、ＰＴＲＳポート推定結果が使用され得る。一つのＴＲＰの複数のパネルが、一つの発振器を共有する場合、一つのＴＲＰのすべてのＤＭＲＳポートが、一つのＰＴＲＳポートを共有し得る。ユーザデバイスは、ＤＭＲＳポートの共有ＰＴＲＳポートを通知される。これは、シグナリングオーバヘッド及び物理レイヤリソースオーバヘッドを、可能な限り低減させ得る。これを考慮して、この実施形態は、上記ネットワークアーキテクチャ上で実行される基準信号情報を示すための方法を提供する。図２は、本願の実施形態にしたがって基準信号情報を示すための方法のフローチャートである。図２に示されるように、プロセスは、以下に説明されるステップを含む。
【００２８】
ステップＳ２０２において、第一の通信ノードは、ジョイントシグナリングを決定する。ジョイントシグナリングは、第一の情報及び第二の情報を含む。第一の情報は、準コロケーション構成情報と、送信ビームの構成情報とのうちの少なくとも一つを含み、第二の情報は、位相追跡基準信号の構成情報と、復調基準信号の構成情報とのうちの少なくとも一つを含む。
【００２９】
ステップＳ２０４において、第一の通信ノードは、ジョイントシグナリングを、第二の通信ノードに送信する。
【００３０】
上記ステップにおいて、第一の通信ノードは、ジョイントシグナリングを決定する。ジョイントシグナリングは、第一の情報及び第二の情報を含む。第一の情報は、準コロケーション構成情報と、送信ビーム構成情報とのうちの少なくとも一つを含む。第二の情報は、位相追跡基準信号の構成情報と、復調基準信号の構成情報とのうちの少なくとも一つを含む。第一の通信ノードは、ジョイントシグナリングを、第二の通信ノードへ送信する。上記技術的解決策により、ジョイントシグナリングは、関連技術においてユーザに基準信号情報を通知することによって生じる追加の物理レイヤオーバヘッドの問題を解決する。基準信号情報がユーザ端末に正確に通知されることを保証しながら、ジョイントシグナリングは、物理レイヤオーバヘッドを低減する。
【００３１】
いくつかの実施形態において、上記ステップは、基地局によって実行され得るが、それに限定されない。
【００３２】
いくつかの実施形態において、復調基準信号の構成情報は、復調基準信号のシンボル数と、復調基準信号のタイプと、復調基準信号の符号分割タイプと、復調基準信号ポートの順序と、復調基準信号のポートマッピング情報とのうちの少なくとも一つを含む。
【００３３】
いくつかの実施形態において、準コロケーション構成情報は、一つ以上の準コロケーションパラメータサブセットを含み、復調基準信号ポートは、復調基準信号のタイプ１ポートグループを一つ以上含み、一つ以上の準コロケーションパラメータサブセットのおのおのは、復調基準信号の一つ以上のタイプ１ポートグループのそれぞれに対応する。
【００３４】
いくつかの実施形態において、第一の通信ノードはまた、上位レイヤシグナリングを介して、第二の通信ノードに関する以下の情報、すなわち、準コロケーションパラメータサブセットの最大数と、復調基準信号のタイプ１ポートグループの最大数とのうちの少なくとも一つを構成する。
【００３５】
いくつかの実施形態において、位相追跡基準信号の構成情報は、位相追跡基準信号ポートの数と、位相追跡基準信号のポート識別子（一つ以上）と、位相追跡基準信号ポートの最大数とのうちの少なくとも一つを含む。
【００３６】
いくつかの実施形態において、準コロケーション構成情報が、一つ以上の準コロケーションパラメータサブセットを含む場合、第一の通信ノードは、ジョイントシグナリングを第二の通信ノードに送信し、ジョイントシグナリングは、一つ以上の準コロケーションパラメータサブセットと位相追跡基準信号のポート識別子（一つ以上）とを含み、一つ以上の準コロケーションパラメータサブセットのおのおのは、位相追跡基準信号ポートのそれぞれに対応する。
【００３７】
いくつかの実施形態において、位相追跡基準信号ポートの最大数は、準コロケーションパラメータサブセットの最大数に等しい。
【００３８】
いくつかの実施形態において、第一の通信ノードは、ジョイントシグナリングを介して、以下の情報、すなわち、復調基準信号のタイプ１ポートグループが、一つの位相追跡基準信号を共有するか否か、又は、ポートグループが、準コロケーションパラメータの一部に関して準コロケートされているか否かを示す。
【００３９】
いくつかの実施形態において、復調基準信号のタイプ１ポートグループが二つ、準コロケーションパラメータに関して準コロケートされている場合、復調基準信号の二つのタイプ１ポートグループは、一つの位相追跡基準信号を共有する。準コロケーションパラメータの一部は、ドップラ拡散及びドップラシフトを備える。
【００４０】
いくつかの実施形態において、一つの位相追跡基準信号は、復調基準信号のタイプ２ポートグループの一つに対応し、復調基準信号のタイプ２ポートグループは、復調基準信号のタイプ１ポートグループを一つ以上含む。
【００４１】
いくつかの実施形態において、第一の通信ノードは、準コロケーションパラメータサブセットの数にしたがって、復調基準信号の符号分割タイプを決定する。各符号分割グループにおけるすべての復調基準信号ポートは、同じ準コロケーションパラメータを有し、異なる符号分割グループにおける復調基準信号ポートの準コロケーションパラメータは、同じであるか、又は異なる。符号分割グループタイプ１の符号分割グループに含まれるＤＭＲＳポートは、時間領域において使用される同じ符号、及び周波数領域において使用される異なる符号を有する。符号分割グループタイプ２の符号分割グループは、符号分割グループタイプ１の符号分割グループを二つ含み、符号分割グループタイプ１の二つの符号分割グループに含まれる復調基準信号ポートは、同じ時間周波数リソースを占有し、異なる時間領域ＯＣＣ符号を有する。
【００４２】
いくつかの実施形態において、第一の通信ノード及び第二の通信ノードは、復調基準信号の状態を示す複数の情報が、同じ復調基準信号ポートを含み、状態を示す複数の情報によって示される復調基準信号ポートの順序が異なることを承知している。
【００４３】
いくつかの実施形態において、復調基準信号ポートの異なる順序は、異なる準コロケーションパラメータに対応する。
【００４４】
いくつかの実施形態において、第一の通信ノードは、第二の通信に、二つの準コロケーションパラメータセット及び六つのＤＭＲＳポートが提供されたことと、六つのＤＭＲＳポートが、復調基準信号の一つの時間領域シンボルのみにマッピングされたことを判定し、第一の通信ノードのすべての復調基準信号ポートは、二つの準コロケーションパラメータセットのうち第一の準コロケーションパラメータセットを使用し、二つの準コロケーションパラメータセットのうち第二の準コロケーションパラメータセットは使用しない。
【００４５】
いくつかの実施形態において、第一の通信ノードは、ジョイントシグナリングを介して、以下、すなわち、送信ビームの構成情報と、位相追跡基準信号の構成情報とのうちの少なくとも一つを示す。
【００４６】
いくつかの実施形態において、送信ビームの構成情報は、サウンディング基準信号リソースを示す情報と、プリコーディング情報インジケーションとのうちの少なくとも一つを含む。サウンディング基準信号リソースを示す情報は、リソースを識別するための識別子（すなわち、今回構成されたサウンディング基準信号のどのリソースが、この識別子によって識別されるのかのための識別子）を含むことに留意されたい。リソース情報の識別子は、インデクスに類似している。
【００４７】
いくつかの実施形態において、サウンディング基準信号リソースを示す情報は、位相追跡基準信号のポート情報を含む。
【００４８】
いくつかの実施形態において、サウンディング基準信号の一つ以上のリソースは、サウンディング基準信号リソースセットを構築し、各サウンディング基準信号リソースセットは、位相追跡基準信号の同じポート情報に対応する。
【００４９】
いくつかの実施形態において、上位レイヤシグナリングによって構成されるサウンディング基準信号のリソース構成情報は、位相追跡基準信号のポート識別子を含む。本明細書において、上位レイヤシグナリングは、無線リソース制御シグナリング又はメディアアクセス制御シグナリングを含み得る。サウンディング基準信号のリソース構成情報は、位相追跡基準信号の一つ以上のポート識別子を伝送する。
【００５０】
基準信号情報を示すための方法は、本願の別の実施形態によって提供される。この方法は、第二の通信ノードに適用され、以下に説明するステップを含む。
【００５１】
ステップ１では、第二の通信ノードは、第一の通信ノードによって送信されたジョイントシグナリングを受信する。ジョイントシグナリングは、第一の情報及び第二の情報を含む。第一の情報は、準コロケーション構成情報と、送信ビームの構成情報とのうちの少なくとも一つを含む。第二の情報は、位相追跡基準信号の構成情報と、復調基準信号の構成情報とのうちの少なくとも一つを含む。
【００５２】
ステップ２において、第二の通信ノードは、ジョイントシグナリングにしたがって、第一の通信ノードによって送信されたデータを受信し、及び／又は、第一の通信ノードとのデータ送信を実行する。
【００５３】
いくつかの実施形態において、復調基準信号の構成情報は、復調基準信号のシンボル数と、復調基準信号のタイプと、復調基準信号の符号分割タイプと、復調基準信号ポートの順序と、復調基準信号のポートマッピング情報とのうちの少なくとも一つを含む。
【００５４】
いくつかの実施形態において、準コロケーション構成情報は、一つ以上の準コロケーションパラメータサブセットを含む。復調基準信号ポートは、復調基準信号のタイプ１ポートグループを一つ以上含む。一つ以上の準コロケーションパラメータサブセットのおのおのは、復調基準信号の一つ以上のタイプ１ポートグループのそれぞれに対応する。
【００５５】
いくつかの実施形態において、第二の通信ノードは、上位レイヤシグナリングを介して、第一の通信ノードによって構成された、以下の情報、すなわち、準コロケーションパラメータサブセットの最大数と、復調基準信号のタイプ１ポートグループの最大数とのうちの少なくとも一つを受信する。
【００５６】
いくつかの実施形態において、位相追跡基準信号の構成情報は、位相追跡基準信号ポートの数と、位相追跡基準信号の一つ以上のポート識別子と、位相追跡基準信号ポートの最大数とのうちの少なくとも一つを含む。
【００５７】
いくつかの実施形態において、準コロケーション構成情報が、一つ以上の準コロケーションパラメータサブセットを含む場合、第二の通信ノードは、第一の通信によって送信されたジョイントシグナリングを受信する。ジョイントシグナリングは、一つ以上の準コロケーションパラメータサブセットと、位相追跡基準信号のポート識別子（一つ以上）とを含み、一つ以上の準コロケーションパラメータサブセットのおのおのは、位相追跡基準信号ポートのそれぞれに対応する。
【００５８】
いくつかの実施形態において、位相追跡基準信号ポートの最大数は、準コロケーションパラメータサブセットの最大数に等しい。
【００５９】
いくつかの実施形態において、第二の通信ノードは、ジョイントシグナリングにより通知された、以下の情報、すなわち、復調基準信号のタイプ１ポートグループが、一つの位相追跡基準信号を共有するか否か、又は、それらのポートグループが、準コロケーションパラメータの一部に関して準コロケートされているか否かを受信する。
【００６０】
いくつかの実施形態において、準コロケーションパラメータに関して、復調基準信号のタイプ１ポートグループが二つ準コロケートされている場合、復調基準信号のそれら二つのタイプ１ポートグループは、一つの位相追跡基準信号を共有し、準コロケーションパラメータの一部は、ドップラ拡散及びドップラシフトを含む。
【００６１】
いくつかの実施形態において、一つの位相追跡基準信号は、復調基準信号のタイプ２ポートグループの一つに対応し、復調基準信号のタイプ２ポートグループは、復調基準信号のタイプ１ポートグループを一つ以上含む。
【００６２】
いくつかの実施形態において、復調基準信号の符号分割タイプは、準コロケーションパラメータサブセットの数にしたがって、第一の通信ノードによって決定される。各符号分割グループにおけるすべての復調基準信号ポートは、同じ準コロケーションパラメータを有し、異なる符号分割グループにおける復調基準信号ポートの準コロケーションパラメータは、同じであるか、又は異なる。符号分割グループタイプ１の符号分割グループに含まれるＤＭＲＳポートは、時間領域において使用される同じ符号と、周波数領域において使用される異なる符号とを有する。符号分割グループタイプ２の符号分割グループは、符号分割グループタイプ１の符号分割グループを二つ含み、符号分割グループタイプ１の符号分割グループ二つに含まれる復調基準信号ポートは、同じ時間周波数リソースを占有し、異なる時間領域ＯＣＣ符号を有する。
【００６３】
いくつかの実施形態において、第二の通信ノード及び第一の通信ノードは、復調基準信号の構成情報の状態を示す複数の情報が、同じ復調基準信号ポートを備え、状態を示す複数の情報によって示される復調基準信号ポートの順序が異なることを承知している。
【００６４】
いくつかの実施形態において、復調基準信号ポートの異なる順序は、異なる準コロケーションパラメータに対応する。
【００６５】
いくつかの実施形態において、第二の通信ノードが、二つの準コロケーションパラメータセット及び六つのＤＭＲＳポートを与えられ、六つのＤＭＲＳポートが、復調基準信号の一つの時間領域シンボルのみにマッピングされる場合、第一の通信ノードのすべての復調基準信号ポートは、二つの準コロケーションパラメータセットのうちの第一の準コロケーションパラメータセットを使用し、二つの準コロケーションパラメータセットのうちの第二の準コロケーションパラメータセットは使用しない。
【００６６】
いくつかの実施形態において、第二の通信ノードは、ジョイントシグナリングを介して、以下の情報、すなわち、送信ビームの構成情報と、位相追跡基準信号の構成情報とのうちの少なくとも一つを受信する。
【００６７】
いくつかの実施形態において、送信ビームの構成情報は、サウンディング基準信号リソースを示す情報と、プリコーディング情報インジケーションとのうちの少なくとも一つを含む。
【００６８】
いくつかの実施形態において、サウンディング基準信号リソースを示す情報は、位相追跡基準信号のポート情報を含む。
【００６９】
いくつかの実施形態において、サウンディング基準信号の一つ以上のリソースは、サウンディング基準信号リソースセットを構築し、各サウンディング基準信号リソースセットは、位相追跡基準信号の同じポート情報に対応する。
【００７０】
本願は、例と併せて以下に詳細に説明される。
【００７１】
［ＤＭＲＳタイプ２の例］
現在、基準信号の設計のために、周波数領域直交カバーリング符号（ＦＤ−ＯＣＣ）に基づくＤＭＲＳパターンは、ＤＭＲＳタイプ２と称される。ＤＭＲＳタイプ２は、実質的に、（図３に示すように）一つのＤＭＲＳシンボルにおいて最大六つのポートをサポートし、（図４に示すように）二つのＤＭＲＳシンボルにおいて最大十二のポートをサポートする。
【００７２】
図３は、上記実施形態にしたがう復調基準信号タイプ２の概略図１である。図３に示すように、一つのリソースブロック（ＲＢ）において、横軸は時間領域、縦軸は周波数領域である。六つのＤＭＲＳポートは、三つの符号分割多重化（ＣＤＭ）グループに分割される。ＣＤＭグループ＃０は、ポートｐ０及びポートｐ１を含む。ＣＤＭグループ＃０において、ポートｐ０及びポートｐ１は、ＯＣＣ分割を介して、同じ時間周波数リソースにマッピングされる。たとえば、ポートｐ０によって使用されるＯＣＣは、［１  １］であり、ポートｐ１によって使用されるＯＣＣは、［１  −１］である。一つのＲＢにおいて、ポートｐ０及びｐ１によってマッピングされるサブキャリアは、サブキャリア＃４、＃５、＃１０及び＃１１を含む。同様に、ＣＤＭグループ＃１は、ポートｐ２及びポートｐ３を含む。ＣＤＭグループ＃１において、ポートｐ２及びポートｐ３は、ＯＣＣ分割を介して、同じ時間周波数リソースにマッピングされる。たとえば、ポートｐ２によって使用されるＯＣＣは［１  １］であり、ポートｐ３によって使用されるＯＣＣは［１  −１］である。ＣＤＭグループ＃２は、ポートｐ４及びポートｐ５を含む。ＣＤＭグループ＃２において、ポートｐ４及びポートｐ５は、ＯＣＣ分割を介して、同じ時間周波数リソースにマッピングされる。たとえば、ポートｐ４によって使用されるＯＣＣは［１  １］であり、ポートｐ５によって使用されるＯＣＣは［１  −１］である。六つのＤＭＲＳポートは、一人のユーザ、すなわち、シングルユーザＭＩＭＯ（ＳＵ−ＭＩＭＯ）に割り当てられ得、複数のユーザ、すなわち、マルチユーザＭＩＭＯ（ＭＵ−ＭＩＭＯ）にも割り当てられ得る。図におけるパターンは、最大六つのＤＭＲＳポートをサポートし得るが、実際にユーザをスケジュールするときに、基地局は、必ずしもユーザに六つのＤＭＲＳポートを割り当てるとは限らない。たとえば、セルが、少数のユーザを有し、ユーザによって必要とされるポートの数が少ない場合、基地局は、一つ又は二つのポートしか必要としない。ここでのポートは論理ポートであり得、一つ又は二つのポートを送信することは、ＤＭＲＳなどの一つ又は二つのポートに対応する信号を送信することであり得る。
【００７３】
すべての準コロケーションパラメータに関して準コロケートされているポートである、ＤＭＲＳポートグループすなわちＤＭＲＳグループは、ＤＭＲＳのタイプ１ポートグループと称され得る。ＤＭＲＳのタイプ１ポートグループは、タイプ１ポートグループであり、タイプ１ポートグループは、ＤＭＲＳを送信するために使用され得、したがって、ＤＭＲＳタイプのポートグループと称されることに留意されたい。ＤＭＲＳのタイプ１ポートグループによって送信されるＤＭＲＳは、ＤＭＲＳタイプ１及び／又はＤＭＲＳタイプ２であり得る。ＤＭＲＳタイプ１及びＤＭＲＳタイプ２は、両方ともＤＭＲＳタイプであるが、異なるＤＭＲＳタイプである。ＤＭＲＳタイプとポートグループタイプとには、特定の関係はない。
【００７４】
符号分割復調をより簡単に実行するために、同じＣＤＭグループにおける二つのＤＭＲＳポートが同じパラメータを有する。このようにすると、インターコード復調を実行するとき、干渉ポートのＱＣＬは、ターゲット復調ポートのＱＣＬと同じであり、これは正確な復調に有益である。
【００７５】
図４は、例１にしたがう復調基準信号タイプ２の概略図２である。図４に示すように、復調基準信号が二つのＤＭＲＳシンボルを有する場合、最大十二のＤＭＲＳポートがサポートされ得る。十二のＤＭＲＳポートは、三つのＣＤＭグループに分割され得る。ＣＤＭグループ＃０は、ポートｐ０、ポートｐ１、ポートｐ６、及びポートｐ７を含む。ＣＤＭグループ＃１は、ポートｐ２、ポートｐ３、ポートｐ８、及びポートｐ９を含む。ＣＤＭグループ＃２は、ポートｐ４、ポートｐ５、ポートｐ１０、及びポートｐ１１を含む。ＣＤＭグループ＃０において、ポートｐ０、ポートｐ１、ポートｐ６、及びポートｐ７は、同じ時間周波数リソースを占有するが、使用される時間領域ＯＣＣ又は周波数領域ＯＣＣは異なる。たとえば、ポートｐ０及びポートｐ１は、周波数領域ＯＣＣで区別されるが、時間領域ＯＣＣは同じであり、すなわち、ポートｐ０によって使用される周波数領域ＯＣＣは、［１  １］であり、ポートｐ１によって使用される周波数領域ＯＣＣは、［１  −１］であるが、ポートｐ０及びポートｐ１は、同じ時間領域ＯＣＣ［１  １］を使用する。ｐ６及びｐ７は、周波数領域ＯＣＣによって区別されるが、それらの時間領域ＯＣＣは同じであり、すなわち、ポートｐ６によって使用される周波数領域ＯＣＣは、［１  １］であり、ポートｐ７によって使用される周波数領域ＯＣＣは、［１  −１］であるが、ポートｐ６及びポートｐ７は、同じ時間領域ＯＣＣ［１  −１］を使用する。同様に、他の各ＣＤＭグループにおける四つのポートも、同じ手法で構成される。ＣＤＭグループ＃１において、ポートｐ２及びポートｐ３は、異なる周波数領域ＯＣＣを使用するが、同じ時間領域ＯＣＣを使用する。ポートｐ８及びポートｐ９は、異なる周波数領域ＯＣＣを使用するが、同じ時間領域ＯＣＣを使用する。ポートｐ２及びポートｐ３によって使用される時間領域ＯＣＣは、ポートｐ８及びポートｐ９によって使用される時間領域ＯＣＣとは異なる。ＣＤＭグループ＃２では、ポートｐ４及びポートｐ５は、異なる周波数領域ＯＣＣを使用するが、同じ時間領域ＯＣＣを使用する。ポートｐ１０及びポートｐ１１は、異なる周波数領域ＯＣＣを使用するが、同じ時間領域ＯＣＣを使用する。しかし、ポートｐ４及びポートｐ５によって使用される時間領域ＯＣＣは、ポートｐ１０及びポートｐ１１によって使用される時間領域ＯＣＣとは異なる。このタイプのＣＤＭグループは、ＣＤＭグループタイプ２、すなわち、符号分割グループタイプ２と称される。
【００７６】
符号分割復調をより簡単に実行するために、同じＣＤＭグループにおける四つのＤＭＲＳポートは、事前定義された手法で同じＱＣＬパラメータを有するように構成され得る。しかし、ＣＤＭグループの数は三つまでに制限される。
【００７７】
本願では、ポートｐ０〜ｐ１１は整数であるが、必ずしも連続した整数であるとは限らない。たとえば、ポートｐ０〜ｐ１１は、実際にはポート１０００〜１０１１を表し得る。
【００７８】
一般に、高周波では、ＮＲ基地局に、複数のアンテナパネルが設けられ得る。各パネルは、異なる復調基準信号ポートに対応する異なるアナログビームを送信し得る。もちろん、一つのパネルが、複数のデジタルビームに対応する一つのアナログビームを送信することもできる。これらのデジタルビームは、異なるＤＭＲＳポートに対応している。複数のパネルによって送信される異なるビームは、複数のＤＭＲＳポートに対応するため、複数のポートが対応するＱＣＬは、同じであり得るか、又は異なり得る。
【００７９】
マルチＴＲＰ送信において、各ＴＲＰが複数のパネルを有する場合、ＣＤＭグループの数が三つに制限されるのであれば、ＤＭＲＳグループの数は三つに制限される。すなわち、異なるＱＣＬを有する最大三つのビーム送信がサポートされ、これは、スケジューリングを制限し得る。
【００８０】
図４に示すように、二つのＤＭＲＳシンボルを有するパターンの場合、任意選択の変形例として、十二のＤＭＲＳポートは、六つのＣＤＭグループに分割され得る。ＣＤＭグループ＃０は、ポートｐ０及びｐ１を含み、ポートｐ０及びポートｐ１は、異なる周波数領域ＯＣＣによって区別される。たとえば、ポートｐ０によって使用される周波数領域ＯＣＣは、［１  １］であり、ポートｐ１によって使用される周波数領域ＯＣＣは、［１  −１］である。ＣＤＭグループ＃１は、ポートｐ２及びｐ３を含み、ポートｐ２及びポートｐ３は、異なる周波数領域ＯＣＣによって区別される。ＣＤＭグループ＃２は、ポートｐ４及びｐ５を含み、ポートｐ４及びポートｐ５は、異なる周波数領域ＯＣＣによって区別される。ＣＤＭグループ＃３は、ポートｐ６及びｐ７を含み、ポートｐ６及びポートｐ７は、異なる周波数領域ＯＣＣによって区別される。ＣＤＭグループ＃４は、ポートｐ８及びｐ９を含み、ポートｐ８及びポートｐ９は、異なる周波数領域ＯＣＣによって区別される。ＣＤＭグループ＃５は、ポートｐ１０及びｐ１１を含み、ポートｐ１０及びポートｐ１１は、異なる周波数領域ＯＣＣによって区別される。一方、ＣＤＭグループ＃０におけるポートと、ＣＤＭグループ＃３におけるポートとは、同じ時間周波数リソースを占有するが、異なる時間領域ＯＣＣを使用する。たとえば、ＣＤＭグループ＃０におけるポートｐ０及びｐ１によって使用される時間領域ＯＣＣは［１  １］である一方、ＣＤＭグループ＃３におけるポートｐ６及びｐ７によって使用される時間領域ＯＣＣは［１  −１］である。ＣＤＭグループ＃１におけるポートと、ＣＤＭグループ＃４におけるポートとは、同じ時間周波数リソースを占有するが、異なる時間領域ＯＣＣを使用する。たとえば、ＣＤＭグループ＃１におけるポートｐ２及びｐ３によって使用される時間領域ＯＣＣは、［１  １］である一方、ＣＤＭグループ＃４におけるポートｐ８及びｐ９によって使用される時間領域ＯＣＣは、［１  −１］である。ＣＤＭグループ＃２におけるポートと、ＣＤＭグループ＃５におけるポートとは、同じ時間周波数リソースを占有するが、異なる時間領域ＯＣＣを使用する。たとえば、ＣＤＭグループ＃２におけるポートｐ４及びｐ５によって使用される時間領域ＯＣＣは、［１  １］である一方、ＣＤＭグループ＃５におけるポートｐ１０及びｐ１１によって使用される時間領域ＯＣＣは、［１  −１］である。同様に、各ＣＤＭグループにおけるすべてのＤＭＲＳポートは、同じＱＣＬパラメータを有しており、異なるＣＤＭグループにおけるＤＭＲＳポートは、異なるＱＣＬパラメータを有し得る。ＱＣＬパラメータが異なることは、ＱＣＬパラメータセットにおけるいくつかのＱＣＬパラメータ又はすべてのＱＣＬパラメータが異なることを意味する。このタイプのＣＤＭグループは、タイプ１のＣＤＭグループ、すなわち、符号分割グループタイプ１と称される。
【００８１】
二つのＤＭＲＳシンボルを有するパターンの場合、ＣＤＭグループタイプを通知するための方法は、基地局が、シグナリングを介してＣＤＭグループタイプをユーザに通知することを含み得る。上位レイヤシグナリングは、上位レイヤＲＲＣシグナリングを含み得、ＭＡＣシグナリング又は物理レイヤ動的シグナリングも含まれ得る。各ＣＤＭグループにおけるＤＭＲＳポートのすべては、同じＱＣＬパラメータを有する。異なるＣＤＭグループにおけるＤＭＲＳポートには、異なるＱＣＬパラメータを有し得る。ＣＤＭグループタイプ１のＣＤＭグループにおけるＤＭＲＳポートは、時間領域において同じ符号を使用し、周波数領域において異なる符号を使用する。タイプ２のＣＤＭグループの場合、タイプ２のＣＤＭグループ一つは、タイプ１のＣＤＭグループを二つ含み、タイプ１のＣＤＭグループ二つに含まれるＤＭＲＳポートは、同じ時間周波数リソースを占有し、それらの時間領域ＯＣＣは異なる。タイプ１のＣＤＭグループの各ＣＤＭグループに含まれるＤＭＲＳポートの数は、タイプ２のＣＤＭグループの各ＣＤＭグループに含まれるＤＭＲＳポートの数の半分である。
【００８２】
このように、少数のアンテナパネルを有する基地局、又は、マルチＴＲＰ送信を使用しないユーザについては、基地局は、タイプ１のＣＤＭグループで構成され得、そうでない場合は、タイプ２のＣＤＭグループで構成される必要がある。
【００８３】
任意選択の変形例として、基地局は、ＣＤＭグループ（符号領域グループ）タイプを直接通知することなく、ユーザへの上位レイヤシグナリングによって構成される復調基準信号のポートグループの最大数のみを必要とする。復調基準信号のポートグループの最大数がしきい値を超える場合、ＣＤＭグループタイプはタイプ１であり、そうでない場合はタイプ２である。
【００８４】
複数のＤＭＲＳポートを一人のユーザに送信する場合、複数のＤＭＲＳポートは、複数のタイプ１のＤＭＲＳポートグループに分割され得る。各ＤＭＲＳポートグループにおけるすべてのポートのすべてのＱＣＬパラメータは同じである一方、異なるＤＭＲＳポートグループにおけるポートのＱＣＬパラメータは異なり得る。そのため、一つのＤＭＲＳポートグループは、一つ以上のＣＤＭグループからのＤＭＲＳポートを含み得、これらのポートのすべてのＱＣＬパラメータは同じである。しかしながら、異なるＤＭＲＳグループにおけるＤＭＲＳポートのＱＣＬパラメータは、異なり得る。この場合、各ＤＭＲＳグループのＱＣＬパラメータ情報は、シグナリングによって基地局によってユーザに示される必要がある。
【００８５】
ＬＴＥと同様に、基地局は、上位レイヤシグナリングによって、ユーザのためのＰＱＩパラメータの複数のセットを構成し得る。ＰＱＩパラメータの各セットは、ＰＤＳＣＨマッピングと、ＱＣＬパラメータ関連情報とを含み、これらは、ユーザに、チャネル状態情報基準信号（ＣＳＩ−ＲＳ）構成識別子（ＩＤ）を示し得る。ユーザは、ＤＭＲＳ及びデータを受信すると、この構成ＩＤに対応するＲＳを使用して、ＱＣＬのいくつかのパラメータの関連する推定を実行する。たとえば、ドップラシフト、ドップラ拡散、平均遅延、及び遅延拡散を推定するためにＣＳＩ−ＲＳが使用され、その後、推定結果が、ＤＭＲＳ及びデータ復調のために使用される。一方、ｃｓｉ−ＲＳ−ＣｏｎｆｉｇＺＰＩｄ−ｒ１１などの他のパラメータは、いくつかのゼロ電力基準信号又は他の基準信号のユーザ位置を示すために使用される。つまり、これらの位置ではデータは送信されない。このようにして、ＵＥは、データチャネルマッピング又はレートマッチングを実行する方法を知る。通常、上位レイヤは、ＰＱＩパラメータセットの四つのセットを構成し、その後、ＤＣＩにおける２ビットを使用して、ユーザに対してＰＱＩパラメータセットのうちの一つを選択する。
【００８６】
ＮＲにおいて、複数のＤＭＲＳグループが、異なるＱＣＬパラメータに対応する場合が存在し、各ＰＱＩパラメータセットに含まれるパラメータは、変動し得る。上位レイヤシグナリングを介して基地局によって一人のユーザに対して構成される、ＤＭＲＳポートグループの最大数は２である。つまり、各ＰＱＩパラメータセットは、
｛
データチャネルマッピング又はレートマッチングのために使用されるパラメータサブセット１、
基準信号構成ＩＤ＃０を示し、関連するＱＣＬパラメータを推定するパラメータサブセット２−１、
基準信号構成ＩＤ＃１を示し、関連するＱＣＬパラメータを推定するパラメータサブセット２−２
｝
のように、ＱＣＬの二つのセットの関連情報で構成されるべきである。
【００８７】
基準信号構成ＩＤ＃０が対応する基準信号と、ＤＭＲＳポートグループ＃０とは、ＱＣＬ関係を有する。基準信号構成ＩＤ＃１が対応する基準信号と、ＤＭＲＳポートグループ＃１とは、ＱＣＬ関係を有する。基準信号構成ＩＤ＃０又は基準信号構成ＩＤ＃１が対応する基準信号は、同期信号ブロック（ＳＳブロック）と、ＣＳＩ−ＲＳと、追跡基準信号（ＴＲＳ）とのうちの一つ以上であり得る。一般に、ＱＣＬパラメータは、ドップラシフト、ドップラ拡散、平均遅延、遅延拡散、及び空間Ｒｘパラメータを含む。したがって、基準信号構成ＩＤ＃ｉが対応する基準信号及びＤＭＲＳポートグループ＃ｉは、ドップラシフト、ドップラ拡散、平均遅延、遅延拡散、及び空間Ｒｘパラメータに関して準コロケートされている。具体的には、基準信号構成ＩＤ＃ｉが、複数の基準信号を含む場合、複数の基準信号の用途は異なり得る。たとえば、基準信号構成ＩＤ＃ｉは、ＣＳＩ−ＲＳ及び追跡基準信号（ＴＲＳ）を含む。ＣＳＩ−ＲＳ及びＤＭＲＳは、平均遅延、遅延拡散、及び空間Ｒｘパラメータに関して準コロケートされる一方、ＴＲＳ及びＤＭＲＳは、ドップラシフト及びドップラ拡散に関して準コロケートされている。
【００８８】
マルチパネル送信について、すべてのデータ及びＤＭＲＳポートが、同じ発振器からのものである場合、一つのＰＴＲＳポートのみ必要とされる。複数のＤＭＲＳポートが、異なる発振器からのものである場合、異なるＰＴＲＳポートが必要とされる。同様に、マルチＴＲＰ送信について、複数のＴＲＰが、異なる発振器を有するため、複数のＰＴＲＳポートが必要とされる。しかしながら、シングルＴＲＰ送信とマルチＴＲＰ送信との間で、及び、シングルパネル送信とマルチパネル送信との間で動的に変動する場合、異なるポートが必要とされる。つまり、ＰＴＲＳポートは、複数のポートが必要な場合があり、単一の信号ポートが必要な場合があり、異なるセル又は異なるユーザは、異なる要件を有する。たとえば、シングルパネルを有するＴＲＰ＃０の場合、ＴＲＰ＃０に接続されたＵＥ＃０は、セル中心のユーザであり、マルチＴＲＰ送信は必要とされない。したがって、一つのＰＴＲＳポートのみが必要とされる。別のＵＥ＃１は、セルエッジユーザであり、マルチＴＲＰ送信が必要とされ、この場合、複数のＰＴＲＳポートが必要とされ得る。シグナリングオーバヘッドを抑えるために、基地局は、上位レイヤシグナリングによって、各ユーザのＰＴＲＳポートの最大数を構成し得、実際に送信されるＰＴＲＳの数を動的に選択し得る。たとえば、上位レイヤシグナリングによってＵＥ＃０のために構成されたＰＴＲＳポートの最大数が１である場合、ＰＴＲＳポートの数は、動的に通知される必要はない。上位レイヤシグナリングによってＵＥ＃０のために構成されたＰＴＲＳポートの最大数が２である場合、ＰＴＲＳポートの数が、一つ又は二つであることを動的に通知するには、１ビットのシグナリングが必要とされる。上位レイヤシグナリングによってＵＥ＃０のために構成されたＰＴＲＳポートの最大数が４である場合、ＰＴＲＳポートの数を動的に通知するには、２ビットのシグナリングが必要とされる。このように、異なる場合のための動的なシグナリングオーバヘッドが効果的に抑えられ得る。しかしながら、この方法はでもまだ、ＰＴＲＳポートの最大数を示す正確なシグナリングが必要である。
【００８９】
ＰＴＲＳポートの最大数を示すための方法は、ＰＴＲＳポートの最大数が、タイプ１のＤＭＲＳポートグループの最大数に等しいことを含み得る。タイプ１のＤＭＲＳポートグループにおけるすべてのＤＭＲＳポートは、すべてのＱＣＬパラメータに関して準コロケートされている。同じＤＭＲＳポートグループにおけるＤＭＲＳポートは、すべてのＱＣＬパラメータに関して準コロケートされているので、一つのＤＭＲＳグループには、最大で一つのＰＴＲＳポートが必要である。異なるＤＭＲＳポートグループ間のＱＣＬパラメータは、固定されていない。各ＤＭＲＳポートグループは、一つのＰＴＲＳポートを必要とし得るので、ＰＴＲＳポートの最大数は、シグナリングによって通知されない場合があるが、タイプ１のＤＭＲＳポートグループの最大数に等しくなるように事前定義される。このように、上位レイヤシグナリングオーバヘッドが効果的に抑えられ得る。
【００９０】
すなわち、異なるＤＭＲＳポートグループは、異なるＴＲＰからのもの、又は一つのＴＲＰの異なるアンテナパネルからのものであり得るので、各ＤＭＲＳポートグループは、位相雑音を推定するために一つのＰＴＲＳポートを必要とする。異なるＴＲＰは、異なる発振器を有し、異なるアンテナパネルは、異なる発振器を有し得、異なる水晶発振器によって生成される位相雑音は異なるので、ＰＴＲＳポートは、個別に構成される必要がある。簡略化のために、ＤＭＲＳポートグループはすべて、デフォルトで一つのＰＴＲＳポートを有し得る。このように、ＰＴＲＳポートの数はＤＭＲＳポートグループの数と等しいため、基地局は、ＰＴＲＳポートの数を追加で通知する必要はない。一方、ＰＴＲＳは、そのＰＴＲＳに対応するＤＭＲＳポートグループにおける最小のポート識別子を有するＤＭＲＳポートに接続される。つまり、ＰＴＲＳポートのプリコーディングは、対応するＤＭＲＳポートグループにおける最小のポート識別子を有するＤＭＲＳポートのプリコーディングと同じである。
【００９１】
ＱＣＬパラメータは、平均利得、ドップラシフト、ドップラ拡散、平均遅延、遅延拡散、及び空間Ｒｘパラメータを含むか、又は、平均利得、ドップラシフト、ドップラ拡散、平均遅延、及び遅延拡散のみを含み、これは異なる場合に依存することに留意されたい。
【００９２】
ＤＭＲＳは一つのシンボルのみを有し、最大六つのポートをサポートし、ＤＭＲＳパターンは図３に示されるものと仮定する。ＤＭＲＳポートグループの最大数は２であり、上位レイヤシグナリング（ＲＲＣシグナリング、又はＭＡＣ  ＣＥシグナリングと組み合わされたＲＲＣシグナリング）によって準静的に構成されていると仮定する。ＤＭＲＳポートの数と組み合わせて、ＤＭＲＳグループは、ＣＤＭグループに対応するように事前に構成され得る。一つのＣＤＭグループにおけるＤＭＲＳポートは、一つのＤＭＲＳグループにのみ属する。もちろん、一つのＤＭＲＳグループは、一つ以上のＣＤＭグループが対応するポートを含み得る。表１は、例１にしたがう復調基準信号情報インジケーション表である。表１に示すように、インジケーション６において、ｐ０は、ＤＭＲＳグループ０に対応し、ｐ２は、ＤＭＲＳグループ１に対応する。この対応関係は、シグナリングによる通知なしで表に事前に定義され得る。
【００９３】
ＤＭＲＳポートグループの最大数は２であるため、ＰＴＲＳポートの最大数は２である。ＤＭＲＳグループが一つだけ提供されている場合には、ＰＴＲＳはポートｍ０であり、そうでない場合には、ＰＴＲＳは、ポートｍ０及びｍ１である。表に示すように、インジケーション７などにおいて、ポートｐ１及びｐ３はそれぞれ、ＰＴＲＳポートｍ０及びｍ１に対応している。インジケーション９において、ポートｐ０及びｐ１は、ｍ０に対応し、ポートｐ２は、ｍ１に対応し、ｍ０及びｐ１はマッチする。つまり、ｍ０及びｐ１は、同じプリコーディングを有する。インジケーション１０において、ポートｐ３はｍ０に対応し、ｐ４及びｐ５はｍ１に対応し、ｍ１及びｐ４はマッチする。ｍ１及びｐ４は、同じプリコーディングを有する。
【００９４】
【表１】
2020529797.tif 000003
【００９５】
ＤＭＲＳポートグループにおけるすべてのＱＣＬパラメータは、同じである。ＰＴＲＳのプリコーディングは、マッチしたＤＭＲＳポートのプリコーディングと同じであるため、ＰＴＲＳと、これにマッチしたＤＭＲＳポートとは、ＱＣＬパラメータセットのすべてのパラメータに関して準コロケートされており、したがって、ＰＴＲＳと、対応するＤＭＲＳポートグループとは、すべてのＱＣＬパラメータに関して準コロケートされていると結論付けられ得る。上記したように、一つのＰＴＲＳポートは、一つのＤＭＲＳポートグループに対応し、ＤＭＲＳポートを、ＤＭＲＳポートグループにおける最小のポート識別子とマッチさせる。
【００９６】
しかしながら、ＰＴＲＳポートとＤＭＲＳポートグループとの間の１対１の対応関係への単純な参照は、ＰＴＲＳオーバヘッドを増加させ得る。一つのＴＲＰの複数のアンテナパネルからのＤＭＲＳポートグループが、一つの発振器を共有する場合、これらのＤＭＲＳポートグループは、一つのＰＴＲＳポートを共有し得る。図５は、例１にしたがって一つの発振器を共有する複数のＤＭＲＳポートグループの概略図である。図５に示すように、複数のＤＭＲＳポートグループは、異なるビームからのものであり得るので、いくつかのＱＣＬパラメータは異なるが、すべてのＱＣＬパラメータが異なる訳ではない。複数のＤＭＲＳポートグループは、一つのＴＲＰからのものであり、一つの発振器を共有しているため、実際には、二つのＤＭＲＳポートグループと、共有されたＰＴＲＳとは、いくつかのＱＣＬパラメータに関して、依然として準コロケートされている。具体的には、二つのＤＭＲＳポートグループにおけるすべてのＤＭＲＳは、ドップラ拡散及びドップラシフトに関して、依然として準コロケートされている。
【００９７】
オーバヘッドを抑えるために、二つのＤＭＲＳポートグループ間の関係は、ＰＱＩパラメータセットにおいて示される必要がある。ＰＴＲＳポートを示すための方法は、ＰＱＩのインジケーション情報を使用することにより、ＰＴＲＳポート情報を示すことを含み得る。
【００９８】
いくつかの実施形態において、ＰＱＩのインジケーション情報は、ＰＴＲＳポートの数を示すために使用される。
【００９９】
一つの実施モードは、ＰＱＩパラメータセットにおいて、複数のＤＭＲＳポートグループがＱＣＬパラメータ｛ドップラ拡散及びドップラシフト｝に関して準コロケートされているか否かを示している。各ＤＭＲＳポートグループは、すべてのＱＣＬパラメータに関して準コロケートされている。いくつかのＤＭＲＳポートグループが、ＱＣＬパラメータ｛ドップラ拡散及びドップラシフト｝に関して準コロケートされている場合、これらのＤＭＲＳポートグループは、一つのＰＴＲＳポートを共有する。いくつかのＤＭＲＳポートグループが、ＱＣＬパラメータ｛ドップラ拡散及びドップラシフト｝に関して準コロケートされていない場合、これらのＤＭＲＳポートグループは、一つのＰＴＲＳポートを共有できない。
【０１００】
パラメータサブセット２−１及び２−２が対応するＤＭＲＳポートグループが、ＱＣＬパラメータ｛ドップラ拡散及びドップラシフト｝に関して準コロケートされていることを、パラメータサブセット３が示す場合、二つのＤＭＲＳポートグループが、一つのＰＴＲＳポートを共有し、そうでない場合、二つの各ＤＭＲＳポートグループはそれぞれ、一つのＰＴＲＳポートを有する。
｛
パラメータサブセット１：データチャネルマッピング又はレートマッチングのために使用される
パラメータサブセット２−１：基準信号構成ＩＤ＃０を示し、関連するＱＣＬパラメータを推定する
パラメータサブセット２−２：基準信号構成ＩＤ＃１を示し、関連するＱＣＬパラメータを推定する
パラメータサブセット３：パラメータサブセット２−１が対応するＤＭＲＳポートグループと、パラメータサブセット２−２が対応するＤＭＲＳポートグループとが、ＱＣＬパラメータ｛ドップラ拡散及びドップラシフト｝に関して準コロケートされているか否かを示すために使用される
｝
【０１０１】
別のダイレクトモードは、ＰＱＩパラメータセットにおいて、複数のＤＭＲＳポートグループが一つのＰＴＲＳポートを共有するか否かを直接示している。二つのＤＭＲＳポートグループの場合、これら二つのＤＭＲＳポートグループが、一つのＰＴＲＳポートを共有するのであれば、一つのＰＴＲＳポートのみが構成される。これら二つのＤＭＲＳポートグループが、一つのＰＴＲＳポートを共有しないのであれば、二つのＰＴＲＳポートを構成する必要がある。
｛
パラメータサブセット１：データチャネルマッピング又はレートマッチングのために使用される
パラメータサブセット２−１：基準信号構成ＩＤ＃０を示し、関連するＱＣＬパラメータを推定する
パラメータサブセット２−２：基準信号構成ＩＤ＃１を示し、関連するＱＣＬパラメータを推定する
パラメータサブセット３：パラメータサブセット２−１が対応するＤＭＲＳポートグループと、パラメータサブセット２−２が対応するＤＭＲＳポートグループとが、ＰＴＲＳポートを共有するか否かを示すために使用される
｝
【０１０２】
ＰＱＩパラメータセットが、関連するＱＣＬパラメータを計算するために一つのパラメータサブセットしか含まないのであれば、この場合、パラメータサブセットは一つしかないため、パラメータサブセット３は使用されない。これは、ＤＭＲＳポートグループが一つしかないことを意味する。
【０１０３】
別の実施モードは、ＵＥが、ＰＱＩパラメータセットに示される異なる基準信号構成にしたがって、ＱＣＬパラメータ｛ドップラ拡散及びドップラシフト｝に関する異なるＤＭＲＳポートグループの準コロケーション状況を判定することである。パラメータサブセット２−１によって示される基準信号構成ＩＤ＃０に含まれる特定の基準信号と、パラメータサブセット２−２によって示される基準信号構成ＩＤ＃１に含まれる特定の基準信号とが、パラメータ｛ドップラ拡散及びドップラシフト｝に関して準コロケートされているのであれば、パラメータサブセット２−１とパラメータサブセット２−２とが対応するＤＭＲＳポートグループは、一つのＰＴＲＳポートを共有し得、そうでない場合には、パラメータサブセット２−１とパラメータサブセット２−２とが対応する各ＤＭＲＳポートグループのために、二つのＰＴＲＳポートが構成される必要がある。
｛
パラメータサブセット１：データチャネルマッピング又はレートマッチングのために使用される
パラメータサブセット２−１：基準信号構成ＩＤ＃０を示し、関連するＱＣＬパラメータを推定する
パラメータサブセット２−２：基準信号構成ＩＤ＃１を示し、関連するＱＣＬパラメータを推定する
｝
【０１０４】
表２は、例１にしたがうＰＱＩパラメータの四つのセットの表である。表２に示すように、基地局は、上位レイヤシグナリングを介して、ＰＱＩパラメータの四つのセットを構成し、ユーザのために基地局によって構成されたＤＭＲＳポートグループの最大数は２であり、すなわち、最大二つのパラメータサブセットが、異なるＱＣＬパラメータを示す。ＮＺＰ  ＣＳＩ−ＲＳは、ＱＣＬパラメータ｛平均遅延、遅延拡散、及び空間Ｒｘパラメータ｝を推定するために使用される一方、ＴＲＳは、ＱＣＬパラメータ｛ドップラ拡散及びドップラシフト｝を推定するために使用されると仮定する。ＰＱＩパラメータの第一のセット及びＰＱＩパラメータの第二のセットでは、パラメータサブセット２−１によって示される基準信号構成に含まれるＴＲＳリソースと、パラメータサブセット２−２によって示される基準信号構成に含まれるＴＲＳリソースとは同じであり、パラメータサブセット２−１及び２−２が対応する二つのＤＭＲＳポートグループは、ＱＣＬパラメータ｛ドップラ拡散及びドップラシフト｝に関して準コロケートされるので、二つのＤＭＲＳポートグループは、一つのＰＴＲＳポートを共有する。したがって、追加のシグナリングインジケーションは必要とされず、ＵＥは、異なるパラメータサブセットによって構成された基準信号が、｛ドップラ拡散及びドップラシフト｝に関して準コロケートされているか否かにしたがって、対応するＤＭＲＳポートグループがＰＴＲＳポートを共有するか否かを判定するだけでよい。
【０１０５】
【表２】
2020529797.tif 000004
【０１０６】
この方法は、どのリソースの基準信号が、｛ドップラ拡散及びドップラシフト｝に関して準コロケートされているかをユーザに通知するために、上位レイヤシグナリングを必要とし得る。そして、パラメータサブセット２−１における基準信号構成ＩＤ＃０が対応する基準信号と、パラメータサブセット２−２における基準信号構成ＩＤ＃１が対応する基準信号とをユーザに通知した後、パラメータ｛ドップラ拡散及びドップラシフト｝に関する基準信号リソースが異なる場合、ユーザは、上位レイヤシグナリングにしたがって、異なる基準信号リソースに対応するＤＭＲＳポートグループが、｛ドップラ拡散及びドップラシフト｝に関して準コロケートされているか否かを判定し得る。たとえば、上記表２のＰＱＩパラメータの第三のセットでは、ＮＺＰ  ＣＳＩ−ＲＳ  ＩＤ＃２及びＮＺＰ  ＣＳＩ−ＲＳ  ＩＤ＃３が、上位レイヤシグナリングによって、｛ドップラ拡散及びドップラシフト｝に関して準コロケートされるように構成されている場合、ＵＥは、二つのＤＭＲＳポートグループがＰＴＲＳを共有していることを認識する。
【０１０７】
各パラメータサブセットによって示される基準信号構成ＩＤに含まれる基準信号は、一つ以上の基準信号タイプ（ＣＳＩ−ＲＳ及びＴＲＳなど）であり得、上記表２に示すように、一つの基準信号タイプの、一つ以上の基準信号リソースでもあり得ることに留意されたい。
【０１０８】
より直接的には、ＰＴＲＳ情報を通知するための方法は、基地局が、ＰＱＩインジケーション情報を使用して、ＰＴＲＳポート識別子を直接示し得ることである。以下で説明するように、ＰＴＲＳポート識別子は、関連するＱＣＬパラメータを示すサブセット２−１及び２−２において直接示される。
｛
パラメータサブセット１：データチャネルマッピング又はレートマッチングのために使用される
パラメータサブセット２−１：基準信号構成ＩＤ＃０を示し、関連するＱＣＬパラメータを推定し、ＰＴＲＳポート識別子を示す
パラメータサブセット２−２：基準信号構成ＩＤ＃１を示し、関連するＱＣＬパラメータを推定し、ＰＴＲＳポート識別子を示す
｝
【０１０９】
すなわち、パラメータサブセット２−１及び２−２によって示される基準信号構成ＩＤ＃０及びＩＤ＃１は、ＰＴＲＳの一つ以上のポート識別子を含む。パラメータサブセット２−１及び２−２によって示されるＰＴＲＳの一つ以上のポート識別子は、同じであり得るか、又は異なり得る。パラメータサブセット２−１及び２−２によって示されるＰＴＲＳの一つ以上のポート識別子が同じ場合、ＰＴＲＳは共有され、そうでない場合、ＰＴＲＳは共有されない。表３は、例１にしたがうＰＱＩパラメータの四つのセットの表である。
【０１１０】
【表３】
2020529797.tif 000005
【０１１１】
表３に示されるように、ＤＭＲＳグループには二つのタイプがある。タイプ１のＤＭＲＳグループにおけるすべてのＤＭＲＳポートは、すべてのＱＣＬパラメータに関して準コロケートされる一方、タイプ２のＤＭＲＳグループにおけるすべてのＤＭＲＳポートは、｛ドップラ拡散及びドップラシフト｝に関して準コロケートされているか、又は一つのＰＴＲＳポートを共有するため、タイプ２のＤＭＲＳグループは、タイプ１のＤＭＲＳグループを一つ以上含み得る。
【０１１２】
本願で説明される上位レイヤシグナリングは、ＲＲＣシグナリング、ＭＡＣレイヤシグナリング、又はＲＲＣシグナリングとＭＡＣシグナリングを指す。
【０１１３】
ＮＲにおいてＰＱＩシグナリングが定義されていないため、本願で説明されるＰＱＩシグナリングは、関連するＱＣＬ情報のみを含み得るか、ＰＤＳＣＨマッピング情報及び関連するＱＣＬ情報の両方を含み得る。
【０１１４】
上記解決策において、ＰＱＩシグナリングを使用することによりＰＴＲＳポート情報を示す例では、ＰＱＩパラメータの一つのセットは、二つのＤＭＲＳポートグループを含む。実際には、ＰＱＩパラメータの一つのセットは、三つ以上のＤＭＲＳポートグループを含み得る。
【０１１５】
たとえば、基地局は、ＰＱＩインジケーション情報を使用することにより、ＰＴＲＳポート識別子を直接示す。四つのＤＭＲＳポートグループが、以下に説明される。
｛
パラメータサブセット１は、データチャネルマッピング又はレートマッチングのために使用される
パラメータサブセット２−１は、基準信号構成ＩＤ＃０を示し、関連するＱＣＬパラメータを推定し、ＰＴＲＳポート識別子を示す
パラメータサブセット２−２は、基準信号構成ＩＤ＃１を示し、関連するＱＣＬパラメータを推定し、ＰＴＲＳポート識別子を示す
パラメータサブセット２−３は、基準信号構成ＩＤ＃１を示し、関連するＱＣＬパラメータを推定し、ＰＴＲＳポート識別子を示す
パラメータサブセット２−４は、基準信号構成ＩＤ＃１を示し、関連するＱＣＬパラメータを推定し、ＰＴＲＳポート識別子を示す
｝
【０１１６】
さらに、任意選択の変形例として、基地局は、独立したＰＱＩシグナリングを使用することによって、複数のＤＭＲＳポートグループのＱＣＬ情報をそれぞれ示し得る。このようにすると、一つのＰＱＩインジケーションは、二つのＰＱＩインジケーションフィールドを必要とする。この方法は、本願に記載された解決策に適用され得る。
【０１１７】
ＰＱＩインジケーションフィールド１
｛
パラメータサブセット１は、データチャネルマッピング又はレートマッチングのために使用される
パラメータサブセット２−１は、基準信号構成ＩＤ＃０を示し、ＤＭＲＳポートグループ＃０のために使用される関連するＱＣＬパラメータを推定し、ＰＴＲＳポート識別子を示す
｝
【０１１８】
ＰＱＩインジケーションフィールド２
｛
パラメータサブセット１は、データチャネルマッピング又はレートマッチングのために使用される
パラメータサブセット２は、基準信号構成ＩＤ＃０を示し、ＤＭＲＳポートグループ＃１のために使用される関連するＱＣＬパラメータを推定し、ＰＴＲＳポート識別子を示す
｝
【０１１９】
上記実施形態のいくつかの例を以下に説明する。例の番号は、単に異なる例を区別するために使用され、優先順序を表すために必ずしも使用される訳ではない。
【０１２０】
［例１ａ：ＤＭＲＳタイプ１］
インタリーブ周波数領域多重化（ＩＦＤＭ）に基づくＤＭＲＳパターンは、ＤＭＲＳタイプ１と称され、実質的に、（図６に示すように）ＤＭＲＳが一つのシンボルを含む場合、最大四つのポートをサポートし得、（図７に示すように）ＤＭＲＳが二つのシンボルを含む場合、最大八つのポートをサポートし得る。
【０１２１】
図６は、例１ａにしたがう復調基準信号タイプ１の概略図１である。図６に示すように、ＤＭＲＳポートは、二つのＣＤＭグループに分割される。ＣＤＭグループ＃０は、ポートｐ０及びｐ２を含む。ポートｐ０及びｐ２は、同じ時間周波数リソースを占有し、異なる巡回シフト（ＣＳ）シーケンスなどの、異なる符号によって区別される。ＣＤＭグループ＃１は、ポートｐ１及びｐ３を含む。ポートｐ１及びｐ３は、同じ時間周波数リソースを占有し、異なる符号によって区別される。
【０１２２】
図７は、例１ａにしたがう復調基準信号タイプ１の概略図２である。図７において、八つのポートが、二つのＣＤＭグループに分割される。ＣＤＭグループ＃０は、ポートｐ０、ｐ２、ｐ４、及びｐ６を含む。ポートｐ０、ｐ２、ｐ４、及びｐ６は、同じ時間周波数リソースを占有する。ポートｐ０及びｐ２は、周波数領域において異なる符号を使用する。たとえば、ポートｐ０は、ＣＳシーケンス０を使用し、ポートｐ２は、ＣＳシーケンス１を使用する。ポートｐ４及びｐ６も、周波数領域において異なる符号を使用する。ポートｐ０及びｐ２は、時間領域において同じＯＣＣを使用する。ポートｐ４及びｐ６も、時間領域において同じＯＣＣを使用するが、これは時間領域においてポートｐ０及びｐ２が使用するＯＣＣとは異なる。同様に、ＣＤＭグループ＃１は、ポートｐ１、ｐ３、ｐ５、及びｐ７を含む。周波数領域においてポートｐ１及びｐ３によって使用されるＣＳシーケンスは異なる一方、ポートｐ１及びｐ３は、時間領域において同じＯＣＣを使用する。周波数領域においてポートｐ５及びｐ７によって使用されるＣＳシーケンスは異なる一方、ポートｐ５及びｐ７は、時間領域において同じＯＣＣを使用する。これは、時間領域においてポートｐ１及びｐ３によって使用される符号とは異なる。一つのＣＤＭグループにおけるすべてのポートは、同じ時間周波数リソースにマッピングされ、異なる時間領域符号又は周波数領域符号によって区別される。このタイプのＣＤＭグループは、タイプ２のＣＤＭグループと称される。
【０１２３】
ＤＭＲＳタイプ２と同様に、ＣＤＭグループの数が２に制限される場合、それはＤＭＲＳポートグループの数が２に制限されることを意味する。つまり、異なるＱＣＬで、最大二つのビーム送信がサポートされる。これにより、特にマルチＴＲＰ及びマルチパネル送信中にスケジューリングが制限される可能性がある。
【０１２４】
より多くのＤＭＲＳポートグループをサポートするために、図７に示されるように、二つのシンボルを有するＤＭＲＳパターンの場合に、任意選択の変形例として、八つのＤＭＲＳポートが、四つのＣＤＭグループに分割される。ＣＤＭグループ＃０は、ポートｐ０及びｐ２を含む。ポートｐ０及びｐ２は、周波数領域において異なる符号を使用する。たとえば、ポートｐ０は、ＣＳシーケンス０を使用し、ポートｐ２は、ＣＳシーケンス１を使用する。ＣＤＭグループ＃１は、ポートｐ１及びｐ３を含む。ポートｐ１及びｐ３は、周波数領域において異なる符号を使用する。ＣＤＭグループ＃２は、ポートｐ４及びｐ６を含む。ポートｐ４及びｐ６は、周波数領域において異なる符号を使用する。ＣＤＭグループ＃３は、ポートｐ５及びｐ７を含む。ポートｐ５及びｐ７は、周波数領域において異なる符号を使用する。ＣＤＭグループ＃０におけるＤＭＲＳポートと、ＣＤＭグループ＃２におけるＤＭＲＳポートとは、同じ時間周波数リソースを占有し、異なる時間領域ＯＣＣによって区別される。同様に、ＣＤＭグループ＃１におけるＤＭＲＳポートと、ＣＤＭグループ＃３におけるＤＭＲＳポートとは、同じ時間周波数リソースを占有し、異なる時間領域ＯＣＣによって区別される。このように、ＤＭＲＳポートは、最大四つのＤＭＲＳポートグループに分割される。このタイプのＣＤＭグループは、タイプ１のＣＤＭグループ、すなわち、符号領域グループタイプ１と称される。
【０１２５】
ＣＤＭグループタイプを示すための方法は、シグナリングを使用することによって、基地局がユーザにＣＤＭグループタイプを通知することを含み得る。シグナリングは、一般に上位レイヤＲＲＣシグナリングを指し、シグナリングは、ＭＡＣシグナリング又は物理レイヤの動的シグナリングでもあり得る。各ＣＤＭグループにおけるＤＭＲＳポートは、同じＱＣＬパラメータを有する。異なるＣＤＭグループにおけるＤＭＲＳポートのＱＣＬパラメータは、異なり得る。タイプ１のＣＤＭグループの場合、ＣＤＭグループにおけるＤＭＲＳポートは、時間領域において同じ符号を使用し、周波数領域において異なる符号を使用する。タイプ２のＣＤＭグループ一つが、タイプ１のＣＤＭグループを二つ含み、これら二つのタイプ１のＣＤＭグループに含まれるＤＭＲＳポートは、同じ時間周波数リソースを占有し、異なる時間領域符号を使用する。ＣＤＭグループタイプ１の各ＣＤＭグループに含まれるＤＭＲＳポートの数は、ＣＤＭグループタイプ２の各ＣＤＭグループに含まれるＤＭＲＳポートの数の半分である。
【０１２６】
このように、少数のアンテナパネルを有する基地局については、又はマルチＴＲＰ送信を使用しないユーザについてはに、基地局は、ＣＤＭグループタイプ１にしたがって構成され得、そうでない場合、基地局は、ＣＤＭグループタイプ２にしたがって構成される必要がある。そのような設計は、ＤＭＲＳシグナリング設計に有益である。ＤＭＲＳ情報通知は、異なるＣＤＭタイプについて独立して設計され得る。
【０１２７】
ＣＤＭグループタイプを暗黙的に示すための別の方法は、基地局が、ＤＭＲＳポートグループの最大数を示すことによって、ＣＤＭグループタイプを暗黙的に示すことである。ユーザに通知されるＤＭＲＳポートグループの最大数がＮより大きい場合、ＣＤＭグループタイプはタイプ１であり、そうでない場合、ＣＤＭグループタイプはタイプ２である。
【０１２８】
ＤＭＲＳタイプ１の場合、ＰＴＲＳポート情報は、ＰＱＩのインジケーション情報によっても示され得る。いくつかの実施形態において、ＰＱＩのインジケーション情報は、ＰＴＲＳポートの数を示すために使用される。
【０１２９】
一つの実施モードは、ＰＱＩパラメータセットにおいて、複数のＤＭＲＳポートグループが、ＱＣＬパラメータ｛ドップラ拡散及びドップラシフト｝に関して準コロケートされているか否かを示す。
【０１３０】
いくつかの実施形態において、ＵＥは、ＰＱＩパラメータセットに示される異なる基準信号構成にしたがって、異なるＤＭＲＳポートグループが、ＱＣＬパラメータ｛ドップラ拡散及びドップラシフト｝に関して準コロケートされているか否かを判定する。パラメータサブセット２−１に示される基準信号構成ＩＤ＃０に含まれる基準信号と、パラメータサブセット２−２に示される基準信号構成ＩＤ＃１に含まれる基準信号とが、パラメータ｛ドップラ拡散及びドップラシフト｝に関して準コロケートされている場合、パラメータサブセット２−１及びパラメータサブセット２−２に対応するＤＭＲＳポートグループは、一つのＰＴＲＳポートを共有し得、そうでない場合、二つのＰＴＲＳポートが、パラメータサブセット２−１及びパラメータサブセット２−２に対応するＤＭＲＳポートグループのために構成される必要がある。この場合、ＤＭＲＳポートグループに対応するＱＣＬパラメータセットを関連付けるために、第三のパラメータセットを導入する必要はない。
【０１３１】
基地局は、ＰＱＩによってＰＴＲＳポートの数（１つ、等）を示すが、実際には、ＰＴＲＳはこのポートで送信されない場合があり、これも、ユーザ及び帯域幅用に構成された変調及び符号化スキーム（ＭＣＳ）などの要因に依存することに留意されたい。ＭＳＣが小さすぎる場合、又は割り当てられた帯域幅リソースの数、又は割り当てられた物理リソースブロック（ＰＲＢ）の数が小さすぎる場合、ＰＴＲＳは送信されない。さらに、ＰＴＲＳは、位相追跡のために使用される基準信号であり、特別なＤＭＲＳであり得る。
【０１３２】
上記方法は、主にＰＱＩシグナリングを使用して、ＰＴＲＳポートの数及び一つ以上のポート識別子のような情報をともに示す。関連するＱＣＬインジケーション情報は、一般にダウンリンクにあるため、この方法は、主にダウンリンクにおいて使用される。アップリンクの場合、関連するＱＣＬシグナリングがないのであれば、ＰＴＲＳポートの数と、一つ以上のポート識別子とをユーザにどのように通知するのかが問題になる。一つの直接的な方法は、明確なシグナリングを使用して、ＰＴＲＳポート情報を動的に示すことであり、これは、アップリンクスケジューリング情報の通知のために使用されるＤＣＩのオーバヘッドを増加させる。
【０１３３】
ＮＲにおいて、基地局に複数のアンテナが提供され得るだけでなく、ユーザも多くのアンテナを有し、多くのアンテナパネルを有し得る。異なるアンテナパネルが同じ発振器を共有する場合、ユーザは、一つのＰＴＲＳポートのみを必要とする。しかしながら、異なるアンテナパネルが発振器を共有しない場合、異なるパネルからのＤＭＲＳポートは、ＰＴＲＳポートに個別に対応する必要がある。言い換えると、いくつかのＤＭＲＳポートが、同じパネルからのものである場合、これらのＤＭＲＳポートは、一つのＰＴＲＳポートに対応し、そうでない場合、これらのＤＭＲＳポートは、異なるＰＴＲＳポートに対応し得る。
【０１３４】
さらに、ＮＲにおいて、基地局は、ユーザデータをスケジューリングする前に、ビームトレーニングを実行する。たとえば、基地局は、上位レイヤシグナリングによって、一人のユーザのために、複数のＳＲＳリソースを構成する。各ＳＲＳリソースは、ユーザによって送信されたそれぞれのビームを表す。たとえば、ユーザが二つのアンテナパネルを有する場合、各パネルは、四つの異なる方向にビームによってＳＲＳを送信し得、二つのパネルは、八つの異なる方向にビームを送信するために、八つのＳＲＳリソースで構成する必要がある。八つのＳＲＳリソースのＩＤは、０から７とすることができる。ユーザが、構成された八つのＳＲＳリソースにおいて、異なるビームを使用して八つのＳＲＳを送信した後、基地局は、測定によって、どのビームがデータ送信において優れているかを判定し得る。したがって、アップリンクデータを送信するためにユーザをスケジュールする場合、基地局は、ＤＣＩにおいて、データを送信するためにどのビームを使用するのかを、ユーザに通知する必要がある。この場合、基地局は、ＤＣＩにおいてＳＲＳリソースインジケータ（ＳＲＩ）値をユーザに通知し得る。ＳＲＩは、データ送信に使用されたＳＲＳリソースのＩＤを表す。
【０１３５】
基地局は単に一つのＳＲＩをユーザに通知し得る。この場合、データを送信するためにユーザによって使用されるビームは、以前に送信され、ＳＲＩに対応するＳＲＳリソースによって使用されるビームと同じである。通常、一つのＳＲＩは、一つのＳＲＳリソースに対応し、一般に、一つのアナログビームに対応し、一つのパネルからのものであるため、一つのＳＲＩは単に、一つのＰＴＲＳポートで、相応して構成される必要がある。データを送信するとき、ユーザは、ＳＲＩに対応するアナログビームを使用してデータを送信する。アナログ送信ビームは、異なるＤＭＲＳポートに対応する異なるデジタルビームを有し得る。つまり、基地局は、ユーザに一つのＳＲＳを示すが、アップリンクＤＭＲＳポートは、複数でもあり得る。チャネルのレシプロシティが成り立たない場合、基地局は、ユーザの送信プリコーダ行列インジケータ（ＴＰＭＩ）も構成する必要があり、ユーザは、ＴＰＭＩのインジケーションにしたがって、アップリンクプリコーディングを実行する。
【０１３６】
さらに、基地局は、複数のＳＲＩをもユーザに通知し得る。各ＳＲＩは、一つのビームに対応し、一つのＳＲＳリソースに対応する。規格を簡素化するために、一つのＤＭＲＳポートに対応する一つのＳＲＳによって実施することが可能である。つまり、ユーザは、データを送信するときに、割り当てられた複数のＳＲＩによって示されるビームを使用してデータを送信する。各ビームは、一つのＤＭＲＳポートに対応する。この場合、複数のＳＲＩによって示されるビームが、異なるアンテナパネルからのものである場合、一つのＰＴＲＳでは、明らかに不十分である。複数のＳＲＩによって示されるビームが、一つのアンテナパネルからのものである場合、一つのＰＴＲＳで十分である。
【０１３７】
基地局は、ポートの数及びポートＩＤを含むＰＴＲＳポート情報を示すために、ＳＲＩシグナリングを使用し得ることが理解される。アップリンクデータを送信するために、一つのＳＲＩのみが使用されることを、基地局がユーザに通知した場合、その一つのＰＴＲＳポートのみが使用され得る。しかしながら、アップリンクデータを送信するために、複数のＳＲＩが使用されることを、基地局がユーザに通知した場合、ＰＴＲＳポートの数は、一つ又は複数であり得る。
【０１３８】
アップリンクＰＴＲＳポート情報を示すための方法は、第一の通信ノードが、ジョイントシグナリングを介して、送信ビームの構成情報と、位相追跡基準信号の構成情報とを、第二の通信ノードに通知することを含み得る。
【０１３９】
いくつかの実施形態において、位相追跡基準信号の構成情報は、位相追跡基準信号ポートの数と、位相追跡基準信号ポートのポート識別子（一つ以上）と、位相追跡基準信号ポートの最大数とのうちの少なくとも一つを含む。
【０１４０】
いくつかの実施形態において、送信ビームの構成情報は、サウンディング基準信号のリソースインジケーションと、プリコーディング情報インジケーションとのうちの少なくとも一つを含む。
【０１４１】
いくつかの実施形態において、送信ビームの構成情報は、サウンディング基準信号のリソースインジケーションと、ダウンリンク基準信号リソースインジケーションとのうちの少なくとも一方を含む。
【０１４２】
ＳＲＩは、ＳＲＳリソースのリソースインジケーションのＩＤである。ＳＲＩに加えて、基地局は、プリコーディング情報ＴＰＭＩをユーザに通知し得る。二つのＳＲＩ間のＴＰＭＩが関連している場合、たとえば、基地局によって同時にユーザに示される二つのＳＲＩに対応するＴＰＭＩが、ある位相差を有する場合、二つのＳＲＩに対応する各ビームは、同じパネルに属する。二つのＳＲＩに対応する各ビームは、線形結合の対象となるものに相当する。この場合、二つのＳＲＩに対応する各ＤＭＲＳポートは、一つのＰＴＲＳポートを共有し得る。そうでない場合、線形結合の効果が、位相雑音によって影響され得る。
【０１４３】
いくつかの実施形態において、ＳＲＳリソース構成は、ＰＴＲＳポート情報を含む。一般に、基地局は、上位レイヤシグナリングによって、ユーザのためにＮ個のＳＲＳリソースを構成し、その後、ユーザは、Ｎ個のＳＲＳリソースでＳＲＳを周期的に送信するか、又は、Ｎ個のＳＲＳリソースのうちいくつかのＳＲＳを、非周期的に送信するか、又は準パーシステントに送信する。上位レイヤシグナリングの構成中、一つのＳＲＳリソースの構成情報には通常、ＳＲＳ帯域幅、開始位置、周波数領域密度、アンテナポートの数、周波数ホッピングを実行するか否か、サイクルなどのうちの複数又はすべてを含む。
【０１４４】
ＳＲＳリソースＩＤ＃ｉ
｛
ＳＲＳ帯域幅、
周波数領域位置、
周波数領域密度、
時間領域位置、
アンテナポートの数、
周波数ホッピング情報、
サイクル
…
｝
【０１４５】
上位レイヤシグナリングが、一つのＳＲＳリソースのこれらのパラメータを構成するとき、基地局は、一つのアイテム、すなわち、ＰＴＲＳポート識別子などのＰＴＲＳポート情報を追加し得る。最大ＰＴＲＳポート識別子は、ユーザによって報告されるＰＴＲＳポートの最大数である。そのため、上位レイヤシグナリングの使用による基地局の構成中、ＳＲＳリソースの構成パラメータは、以下に説明され、ＰＴＲＳポートＩＤが追加される。
【０１４６】
ＳＲＳリソースＩＤ＃ｉ
｛
ＳＲＳ帯域幅、
周波数領域位置、
周波数領域密度、
時間領域位置、
アンテナポートの数、
周波数ホッピング情報、
サイクル、
…
ＰＴＲＳポートＩＤ
｝
【０１４７】
一人のユーザが最大一つのＰＴＲＳポートをサポートする場合、ＰＴＲＳポートのＩＤは、デフォルトで０であるか、又は、ＰＴＲＳポート情報が提供されない場合がある。一人のユーザが最大二つのＰＴＲＳポートをサポートする場合、ＰＴＲＳポートのＩＤは、０又は１であり得る。
【０１４８】
たとえば、一人のユーザは、最大二つのＰＴＲＳポートをサポートする。つまり、ユーザは、二つのアンテナパネルを有する。各パネルは、Ｎ個のＳＲＳリソースに対応している。すなわち、各パネルは、Ｎ個のビームに対応している。基地局が、上位レイヤシグナリングを介して２Ｎ個のＳＲＳリソースを構成する場合、最初のＮ個のＳＲＳリソースでは、ＰＴＲＳポートのＩＤは０であり、最後のＮ個のＳＲＳリソースでは、ＰＴＲＳポートのＩＤは１である。このように、基地局は、ＤＣＩを介してアップリンクスケジューリングデータを通知するときに複数のＳＲＩ（二つのＤＭＲＳポートに対応する二つのＳＲＩなど）を示す。二つのＳＲＩ値を受信した後、ユーザは、これに対応して、二つのＳＲＩに対応するＳＲＳリソースにおいて構成されたＰＴＲＳポートのＩＤを発見し得る。二つのＳＲＩに対応するＳＲＳリソースにおいて構成されたＰＴＲＳポートのＩＤが同じである場合、二つのＳＲＩに対応するＤＭＲＳポートは、同じパネルからのものであり、すなわち、ＤＭＲＳポートは、一つのＰＴＲＳポートを共有する。そうでない場合、二つのＰＴＲＳポートが必要とされる。したがって、ＳＲＳのリソース構成は、ＰＴＲＳポート情報を含む。ＳＲＳのリソース構成は、上位レイヤシグナリングによって構成され、通常はＲＲＣシグナリングによって構成される。つまり、基地局が上位レイヤシグナリングによってＳＲＳのリソース構成情報を構成するとき、ＰＴＲＳポート情報はすでに構成されている。
【０１４９】
いくつかの実施形態において、各ＳＲＳのリソース構成情報においてＰＴＲＳポート情報を構成する必要はない。一つのＰＴＲＳポートを共有し得るＳＲＳリソースは、一つのＳＲＳリソースセット又はＳＲＳリソースグループへ構成される。各ＳＲＳリソースセットは、一つのＰＴＲＳポートに対応する。異なるＳＲＳリソースセットは、異なるＰＴＲＳポートに対応する。たとえば、上記例に基づいて、基地局は、ユーザのために二つのＳＲＳリソースセットを構成する。第一のＳＲＳリソースセットは、Ｎ個のＳＲＳリソースを含み、リソースＩＤは、０からＮ−１である。第二のＳＲＳリソースセットも、Ｎ個のＳＲＳリソースを含み、リソースＩＤは、Ｎから２Ｎ−１である。基地局が、ユーザアップリンクデータをスケジュールすると、基地局は、一つ以上のＳＲＩをスケジュールする。各ＳＲＳは、一つのＳＲＳリソースに対応するため、一つのＳＲＳリソースセットに対応する。ユーザに割り当てられたＳＲＩが、同じＳＲＳリソースセットに属する場合、これらのＳＲＩに対応するＤＭＲＳポートは、一つのＰＴＲＳポートを共有するか、そうでない場合、複数のＰＴＲＳポートが、ＤＭＲＳポートに割り当てられる。理解を深めるために、ＳＲＳリソースセット番号が単に、ＰＴＲＳポート識別子として考慮され得る。
【０１５０】
第一のＳＲＳリソースセット｛ＳＲＳリソースＩＤ＃０、ＩＤ＃１…ＩＤ＃Ｎ−１｝。
【０１５１】
第二のＳＲＳリソースセット｛ＳＲＳリソースＩＤ＃Ｎ、ＩＤ＃Ｎ＋１…ＩＤ＃２Ｎ−１｝。
【０１５２】
一般的に言えば、第一の通信ノードは、ジョイントシグナリングを介して、送信ビームの構成情報と、位相追跡基準信号の構成情報とを、第二の通信ノードに通知する。いくつかの実施形態において、位相追跡基準信号の構成情報は、位相追跡基準信号ポートの数と、位相追跡基準信号ポートのポート識別子（一つ以上）と、位相追跡基準信号ポートの最大数とのうちの少なくとも一つを含む。送信ビームの構成情報は、少なくとも、サウンディング基準信号リソースを示す情報を含む。一般に、ＳＲＳのリソースインジケーションは、ＳＲＳのリソースＩＤを指す。各ＳＲＳリソースは、ＳＲＳリソースの構成情報に対応し、これは、上位レイヤシグナリングを使用して基地局によって構成される。すなわち、ＳＲＳの各リソースインジケーションは、一つのサウンディング基準信号のリソースを示す情報に対応する。リソースインジケーション情報は、ＳＲＳリソースの構成情報を指し、ＳＲＳリソースセットの構成情報をも含み得る。サウンディング基準信号リソースを示す情報、又はＳＲＳリソースセットの構成情報は、ＰＴＲＳポート情報を含む。
【０１５３】
全体のプロセスが以下に説明される。第一の通信ノードは、ジョイントシグナリングを使用して、位相追跡基準信号の構成情報及びＳＲＩを、第二の通信ノードに通知する。各ＳＲＩは、一つのＳＲＳリソースに対応する。一つのＳＲＳリソースは、一つのＳＲＳリソースセットに対応する。一つのＳＲＳリソースセットは、一つのＰＴＲＳポートに対応する。基地局によって通知されたＳＲＩを取得した後、ユーザは、ＰＴＲＳポート情報を取得する。
【０１５４】
任意選択の例として、一つのＳＲＳリソースセット内のＳＲＳに対応するビームは、同じアンテナパネルから来ることがある。このようにすると、異なるＳＲＳリソースセットは、異なるアンテナパネルに対応する。一つのＳＲＳリソースセット内のすべてのビームに対応するＤＭＲＳは、同じＰＴＲＳポート識別子に対応する。異なるＳＲＳリソースセットのビームに対応するＤＭＲＳは、同じＰＴＲＳポート識別子又は異なるＰＴＲＳポート識別子に対応する。これは、異なるＳＲＳリソースセットに対応するアンテナパネルが、発振器を共有するか否かに依存する。異なるＳＲＳリソースセットが発振器を共有する場合、異なるＳＲＳリソースセットは、同じＰＴＲＳポート識別子に対応する。そうでない場合、異なるＳＲＳリソースセットは、異なるＰＴＲＳポート識別子に対応する。理解を深めるために、各ＳＲＳリソースセットが、一つのＰＴＲＳポート識別子で相応して構成されていると単純に考えることができる。ＰＴＲＳ  ＩＤ＃０は、基地局の構成に応じて、ＰＴＲＳ  ＩＤ＃１と等しいことも、等しくないこともあり得る。つまり、少なくとも各ＳＲＳリソースセットは、同じＰＴＲＳポート識別子に対応する。
【０１５５】
第一のＳＲＳリソースセット｛［ＳＲＳリソースＩＤ＃０、ＩＤ＃１…ＩＤ＃Ｎ−１］、ＰＴＲＳ  ＩＤ＃０｝。
【０１５６】
第二のＳＲＳリソースセット｛［ＳＲＳリソースＩＤ＃Ｎ、ＩＤ＃Ｎ＋１…ＩＤ＃２Ｎ−１］、ＰＴＲＳ  ＩＤ＃１｝。
【０１５７】
もちろん、ＳＲＳリソースセットの概念は、提供されないことがあり得る。この場合、ＰＴＲＳポート情報は、各ＳＲＳリソースの構成で伝送される必要がある。
【０１５８】
結論として、ＳＲＳリソース及びリソースセットの構成は、物理レイヤによって動的に構成されるのではなく、上位レイヤシグナリングを使用することによって基地局によって構成される。基地局は複数のＳＲＳリソースを構成し、その後、物理レイヤの動的シグナリングを使用して、複数のＳＲＳリソースのうち一つ以上のＩＤをユーザに通知する。
【０１５９】
ＳＲＩ及びＳＲＳリソース構成でＰＴＲＳポート情報を伝送するスキームは、ほぼすべてのシナリオに良好に適用され得る。特に、チャネルにレシプロシティがない場合、ビームトレーニングは、ＳＲＳの送信に依存する必要がある。チャネルにレシプロシティがある場合、基地局は、ユーザがデータを送信する際使用するビームを示すために、ＳＲＩを使用しないことがあるが、ダウンリンク基準信号リソースＩＤを使用し得る。すなわち、ＰＴＲＳポート情報を示すために使用される送信ビーム構成情報は、ダウンリンク基準信号リソースインジケーションを含む。ダウンリンク基準信号リソースインジケーションは、ＣＳＩ−ＲＳリソースインジケーション、すなわち、ＣＳＩ−ＲＳリソースインジケータ（ＣＲＩ）であり得、同期信号リソース又はＩＤインジケーションであり得る。基地局は、ＣＲＩを使用して、一つ以上のＣＳＩ−ＲＳリソースを示す。ユーザは、ＣＲＩに対応する受信ビームを使用して、このＣＳＩ−ＲＳを受信する。受信ビームは、データ送信のために使用される。ＳＲＩ及びＳＲＳの構成情報によって伝送されるＰＴＲＳポート情報と同様に、ＣＲＩ及びＣＳＩ−ＲＳのリソース構成情報も、ＰＴＲＳポート情報を伝送するために使用され得る。たとえば、基地局は、上位レイヤシグナリングを使用してＣＳＩ−ＲＳリソースを構成するときに、これらのＣＳＩ−ＲＳリソースを、複数のセットに分割する。各セットは、一つのＰＴＲＳポート識別子で相応して構成される。ここで、ＰＴＲＳポートは、アップリンクＰＴＲＳポート情報を指す。
【０１６０】
さらに、本願に記載される第一の通信ノードは、一般に、基地局を指し、第二の通信ノードは、一般に、ユーザを指す。もちろん、第一の通信ノードは、Ｄ２Ｄ通信において使用されるユーザを指し得る。
【０１６１】
さらに、本願に記載されるＰＴＲＳは、一般に、位相雑音推定に使用され、他の目的にも使用され得る。したがって、本願で説明するＰＴＲＳは、基準信号の名前に過ぎず、他の基準信号を除外するものではない。たとえば、ＰＴＲＳは、特別な復調基準信号である。一般に、基地局は、高周波又は低周波に依存するＰＴＲＳの存在を構成するために、上位レイヤシグナリングを使用する。上位レイヤシグナリングが、ＰＴＲＳが存在するということを構成する場合、ＰＴＲＳが実際に送信されるか否かと、ＰＴＲＳ密度とは、スケジューリング中にユーザに割り当てられたＭＣＳと帯域幅にも関連する。
【０１６２】
以下に、基地局が、ＰＱＩインジケーション情報を使用することによって、ＤＭＲＳ構成情報を示す例を説明する。
【０１６３】
いくつかの実施形態において、ＰＱＩインジケーション情報は、ＤＭＲＳのシンボルの数を示すために使用される。
【０１６４】
いくつかの実施形態において、ＰＱＩインジケーション情報は、ＤＭＲＳタイプを示すために使用される。
【０１６５】
いくつかの実施形態において、基地局は、ＰＱＩインジケーション情報を使用して、ＤＭＲＳ情報を示す表のタイプを示す。ＤＭＲＳ情報を示すための複数の表は、上位レイヤシグナリングによって事前定義又は構成される。
【０１６６】
図３及び図４（ＤＭＲＳタイプ２）、図６及び図７（ＤＭＲＳタイプ１）から理解されるように、十分な柔軟性を実現するために、規格は、復調基準信号タイプ１及び復調基準信号タイプ２をサポートする必要があり、各復調基準信号タイプは、一つのＤＭＲＳの場合と、二つのＤＭＲＳの場合とをサポートする必要がある。
【０１６７】
動的なシグナリングオーバヘッドを抑えるために、基地局は、上位レイヤシグナリングを使用して、ユーザのために復調基準信号タイプを構成し得る一方、上位レイヤシグナリングを使用して、ユーザのための復調基準信号のシンボルの数を構成し得る。このように、ＤＣＩシグナリングを設計するとき、一つのＤＭＲＳシンボルの場合と、各ＤＭＲＳタイプの二つのＤＭＲＳ時間領域シンボルの場合とのおのおのは、ＤＭＲＳポート識別子、ＤＭＲＳポートの数、スクランブルシーケンスＩＤ、及びデータと同時に送信されるか否かを通知するために、一つの表で個別に設計される必要がある。したがって、ＤＣＩにおけるシグナリングオーバヘッドは大幅に低減される。表４〜表７に示すように、各ＤＭＲＳタイプについて、各シンボルは、５ビットのみを必要とする（すなわち、１つのインジケーションステータスに対応する値は３２以下である）。準静的構成に基づいて、基地局は、平均トラフィック量と、セルのユーザの数とに応じて、ＤＭＲＳシンボル量（一つのＤＭＲＳシンボル又は二つのＤＭＲＳシンボル）を構成し得るので、ＤＭＲＳ情報を示すためのＤＣＩのオーバヘッドは、５ビット以内で制御される。セル内のユーザの数が少なく、トラフィック量が大きくない場合、同時にマルチユーザスケジューリングに関与するユーザの数は、多すぎることはない。ユーザによって必要とされるＤＭＲＳポートの数が多くない場合、基地局は、セルのユーザに対して、一つのＤＭＲＳシンボルを準静的に構成し得る。この場合、ＤＭＲＳタイプ２について、最大六つのＤＭＲＳポートがサポートされ、ＤＭＲＳタイプ１について、最大四つのＤＭＲＳポートがサポートされる。セル内のユーザの数が多く、トラフィック量が大きく、マルチユーザスケジューリングのためのＤＭＲＳポートの総数がしばしば多い場合、基地局は、セルのユーザのために二つのＤＭＲＳシンボルを構成し得る。この場合、ＤＭＲＳタイプ２について、最大十二のＤＭＲＳポートがサポートされ、ＤＭＲＳタイプ１について、最大八つのＤＭＲＳポートがサポートされる。
【０１６８】
しかしながら、ＤＭＲＳのシンボル量を準静的に構成するこの方法は、特に動的ポイント選択（ＤＰＳ）送信を実行するユーザなど、マルチポイント送信に関与するユーザのスケジューリング柔軟性を制限する。ＤＭＲＳタイプは、ＲＲＣシグナリングによってユーザに対して準静的に構成され、各セルにおいて同じであると仮定する。図８は、マルチポイント動的スイッチング送信の概略図を提供する。図８に示すように、スロットｎでは、送信受信ポイント（ＴＲＰ）＃０が、ＵＥ＃０にデータを送信する一方、スロットｎ＋１では、ＴＲＰ＃１がＵＥ＃０にデータを送信する。ＵＥ＃０にデータを送信する基地局は、動的に切り替えられる。この場合、ＴＲＰ＃０における接続されたユーザの数とトラフィック量は、ＴＲＰ＃１におけるものと異なり得るので、ＴＲＰ＃０とＴＲＰ＃１とで必要なＤＭＲＳシンボル量は異なり得る。たとえば、ＴＲＰ＃０の場合、ＵＥ＃０のサービスセルでは、トラフィック量が大きく、接続されたユーザの数が多いため、通常二つのＤＭＲＳシンボルが必要である。このため、ＲＲＣシグナリングを介してＴＲＰ＃０がＵＥ＃０のために構成するＤＭＲＳシンボルの数は２である。ＴＲＰ＃１のトラフィック量は少なく、接続されたユーザはほとんどいない。オーバヘッドを抑え、より効率的なＤＭＲＳ設計を行うために、基地局は、ユーザのために、一つのＤＭＲＳシンボルしか構成しない。この場合、異なるＴＲＰは、異なるＤＭＲＳシンボル量を必要とするため、ＤＭＲＳシンボル量を準静的に構成することは、問題を有し得る。ＵＥ＃０にデータを送信するＴＲＰを、ＴＲＰ＃０に切り替えると、ＵＥ＃０に準静的に構成されたＤＭＲＳシンボル量はまだ２であるため、ＴＲＰ＃１は、データをＵＥ＃０に送信するために二つのＤＭＲＳシンボルを使用するように強制され、不必要な無駄を引き起こしている。ＴＲＰ＃１における他のユーザが、ＵＥ＃０とジョイントマルチユーザスケジューリングを実行したい場合、ＤＭＲＳシンボルの量は等しくない。なぜなら、ＴＲＰ＃１における他のユーザは、二つのＤＭＲＳシンボルを用いて準静的に構成される可能性が高いためである。
【０１６９】
各ＤＭＲＳタイプのために、ＤＭＲＳのシンボル数が完全に柔軟な方式で構成されている場合、基地局は、少なくとも１ビットのＤＣＩオーバヘッドを増加させるＤＣＩシグナリングを介して、一つのシンボル及び二つのシンボルに関するＤＭＲＳ情報を動的に示す必要がある。
【０１７０】
ＤＭＲＳのシンボル数を示すための方法は、基地局が、ＱＣＬのインジケーション情報及びデータチャネルマッピング（ＰＱＩ：ＰＤＳＣＨ  ＲＥマッピング及び準コロケーションインジケータ）を使用して、ＤＭＲＳのシンボル数を示すことである。ＱＣＬのインジケーション情報及びデータチャネルマッピングは、ＬＴＥ規格３６．２１３の表７．１．９−１における情報インジケーションに類似している。規格３６．２１３で説明されているように、一般に、基地局は、上位レイヤシグナリングを使用して、ＰＤＳＣＨ  ＲＥマッピング及び準コロケーションインジケータを示すために、複数のパラメータセット（たとえば、四つのセット）を構成する。規格３６．２１３においてＤＣＩフォーマット２Ｄで説明されているように、基地局は、２ビットなどのいくつかのビットのシグナリングを使用して、上位レイヤによって構成された複数のセットのうちのいずれかを示す。ＤＰＳスケジューリングである場合、上位レイヤによって構成された複数のＰＱＩパラメータセットは、異なるＴＲＰ送信に対応し得る。異なるＴＲＰのために異なるＤＭＲＳシンボルを合理的かつ柔軟に構成するために、ＰＱＩによって示されるパラメータは、ＤＭＲＳのシンボル数を含み得る。したがって、上位レイヤによって構成された複数のＰＱＩパラメータセットは、異なるＤＭＲＳシンボル量を含み得る。言い換えれば、ＰＱＩとＤＭＲＳのシンボル数がともに示される。たとえば、上位レイヤシグナリングを介して基地局によって構成された二つのＰＱＩパラメータセットは、次のように個別に構成される。
【０１７１】
第一のＰＱＩパラメータセット
｛
パラメータサブセット１：ＺＰ−ＣＳＩ−ＲＳ  ＩＤ＃０
パラメータサブセット２−１：ＮＺＰ  ＣＳＩ−ＲＳ  ＩＤ＃０
パラメータサブセット２−２：ＮＺＰ  ＣＳＩ−ＲＳ  ＩＤ＃１
…
パラメータサブセットｉ：一つのＤＭＲＳシンボル
｝
【０１７２】
第二のＰＱＩパラメータセット
｛
パラメータサブセット１：ＺＰ−ＣＳＩ−ＲＳ  ＩＤ＃３
パラメータサブセット２−１：ＮＺＰ  ＣＳＩ−ＲＳ  ＩＤ＃３
パラメータサブセット２−２：ＮＺＰ  ＣＳＩ−ＲＳ  ＩＤ＃４
…
パラメータサブセットｉ：二つのＤＭＲＳシンボル
｝
【０１７３】
ＤＣＩにおいて、基地局は、いずれかのＰＱＩパラメータセットを示すために、動的物理レイヤシグナリングを使用し、それにより、物理レイヤ動的シグナリングオーバヘッドを付加的に追加することなく、ＤＭＲＳのシンボル数を動的に示す目的を達成する。
【０１７４】
同様に、ＤＰＳなどの協調マルチポイント（ＣｏＭＰ）送信を実行する必要があるユーザのために、ユーザにデータを送信するＴＲＰが、動的に切り替えられ得るため、（復調基準信号タイプ１及び復調基準信号タイプ２を含む）ＤＭＲＳタイプは同じである必要がある。したがって、ＤＭＲＳタイプを示すための方法は、基地局がＱＬＣのインジケーション情報及びデータチャネルマッピング（ＰＱＩ：ＰＤＳＣＨ  ＲＥマッピング及び準コロケーションインジケータ）を使用して、ＤＭＲＳタイプを示すことを含み得る。
【０１７５】
表４は、表４に示すように、ＤＭＲＳ情報が、一つのＤＭＲＳシンボルを有するＤＭＲＳタイプ２を示す表である。
【０１７６】
【表４】
2020529797.tif 000006
【０１７７】
表５は、表５に示すように、ＤＭＲＳ情報が、二つのＤＭＲＳシンボルを有するＤＭＲＳタイプ２を示す表である。
【０１７８】
【表５】
2020529797.tif 000007
【０１７９】
表６は、表６に示すように、ＤＭＲＳ情報が、例２にしたがって一つのＤＭＲＳシンボルを有するＤＭＲＳタイプ１を示す表である。
【０１８０】
【表６】
2020529797.tif 000008
【０１８１】
表７は、表７に示すように、ＤＭＲＳ情報が、二つのＤＭＲＳシンボルを有するＤＭＲＳタイプ１を示す表である。
【０１８２】
【表７】
2020529797.tif 000009
【０１８３】
上記のように、異なるＤＭＲＳタイプ又は異なるＤＭＲＳシンボル量は、異なるＤＭＲＳ情報表に対応し、すなわち、ＰＱＩインジケーション情報は、ＤＭＲＳ情報を示すための表のタイプを示すために使用される。表４〜表７に示すように、ＤＭＲＳ情報を示すための複数の表が、事前定義されているか、上位レイヤシグナリングで構成される。ＰＱＩによって示される表タイプは、異なるＤＭＲＳタイプ又は異なるＤＭＲＳシンボル量に必ずしも限定されない。したがって、ＤＭＲＳタイプとＤＭＲＳシンボル量が、上位レイヤシグナリングによって準静的に構成されていても、物理レイヤの動的なシグナリングは、選択に使用されないが、この方法の使用は影響を受けない。
【０１８４】
第一の通信ノードは、ジョイントシグナリングを介して復調基準信号の準コロケーション構成情報及びポートマッピング情報を示す。このように、ポートマッピングは、ＤＭＲＳ情報の表を参照する。
【０１８５】
ＰＱＩによって示される二つのＤＭＲＳポートグループが、ＱＣＬパラメータのすべてではなく、ＱＣＬパラメータの一部のみに関して準コロケートされている場合、割り当てられた二つのポートのインジケーションビットは、ｐ０及びｐ２、又はｐ２及びｐ３を含む。表８ａは、例２にしたがうＤＭＲＳ情報が、一つのＤＭＲＳシンボルを有するＤＭＲＳタイプ２を示す表である。表８ａに示すように、同じＣＤＭグループにおけるＤＭＲＳポートのＱＣＬが同じであることを保証するために、二つのＤＭＲＳポートは、二つのＤＭＲＳポートグループ又は二つのＣＤＭグループに属するべきである。ＰＱＩによって示される二つのＤＭＲＳポートグループが、すべてのＱＣＬパラメータに関して準コロケートされている場合、割り当てられた二つのポートのインジケータビットは、ｐ０及びｐ１、又はｐ２及びｐ３、又はｐ４及びｐ５を含む。表８ｂは、例２にしたがうＤＭＲＳ情報が、一つのＤＭＲＳシンボルを有するＤＭＲＳタイプ２を示す表である。
【０１８６】
二つのＤＭＲＳポートグループが、すべてのＱＣＬパラメータに関して準コロケートされているか否かにしたがって、ＤＭＲＳ情報を示すための表は、ＤＭＲＳ表のインジケーションステータスのビットを低減するために複数のカテゴリに分割されてもよく、それにより、ＤＣＩオーバヘッドを低減する。
【０１８７】
言い換えれば、基地局は、ジョイントインジケーション情報を使用して、ＰＱＩのインジケーション情報をユーザに通知し、この場合、表８ａのような一つのＤＭＲＳ情報表のみが提供される場合でも、ＤＭＲＳポートマッピング情報を示し得る。インジケーションｉについて、ＵＥによって受信されたＰＱＩパラメータサブセット２−１、２−２が同じである場合、ポートインジケーションビットｉは、ｐ０及びｐ１を表し、そうでない場合、ポートインジケーションビットｉは、ｐ０及びｐ２である。すなわち、インジケーションビットによって示されるＤＭＲＳポートマッピング関係は、ＰＱＩのインジケーション情報に関連している。
【０１８８】
ＰＱＩによって示されるＱＣＬ情報が異なるため、ＤＭＲＳポートマッピングが変更され、ＰＴＲＳからＤＭＲＳポートへのマッピングも変更される。
【０１８９】
【表８】
2020529797.tif 000010
【０１９０】
［例３］
異なるポート順序は、異なるＱＣＬ関係に対応する。
【０１９１】
ＰＱＩインジケーション情報を抑えるため、すなわち、上位レイヤによって構成されるＰＱＩセットの数を可能な限り低減するために、基地局は、ＤＭＲＳポートマッピングの順序によって、異なるＤＭＲＳポートグループのＱＣＬ情報を暗黙的に示す。
【０１９２】
第一のＰＱＩパラメータセット
｛
データチャネルマッピング又はレートマッチングのために使用されるパラメータサブセット１
基準信号構成ＩＤ＃０を示し、関連するＱＣＬパラメータを推定するパラメータサブセット２−１
基準信号構成ＩＤ＃１を示し、関連するＱＬＣパラメータを推定するパラメータサブセット２−２
｝
【０１９３】
第二のＰＱＩパラメータセット
｛
データチャネルマッピング又はレートマッチングのために使用されるパラメータサブセット１
基準信号構成ＩＤ＃０を示し、関連するＱＣＬパラメータを推定するパラメータサブセット２−１
基準信号構成ＩＤ＃１を示し、関連するＱＬＣパラメータを推定するパラメータサブセット２−２
｝
【０１９４】
上記のように、ＤＣＩオーバヘッドを抑えるために、上位レイヤシグナリングは、ユーザのために、二つのＰＱＩパラメータセットのみを構成すると仮定する。パラメータサブセット２−１の基準信号構成ＩＤと、パラメータサブセット２−２の基準信号構成ＩＤとは同じであるため、第一のＰＱＩパラメータセットは、単一ポイント送信を意味する。第二のＰＱＩパラメータセットは、マルチＴＲＰ送信を示す。パラメータサブセット２−１及び２−２に対応する二つのＤＭＲＳポートグループは、準コロケートされていない。第一のＰＱＩパラメータセットであるか、又は第二のＰＱＩパラメータセットであるかをユーザに通知するためには、単に１ビットのＤＣＩオーバヘッドしか必要とされない。しかしながら、マルチＴＲＰ送信中は、スケジューリングが制限される。たとえば、表１に示すように、五つのレイヤを有するユーザの場合、インジケーションが十二であれば、一人のユーザに割り当てられるＤＭＲＳポートの数は五つであり、それぞれポートｐ０、ｐ１、ｐ２、ｐ３、及びｐ４である。ＤＭＲＳポートグループ＃０は、ＰＱＩパラメータサブセット２−１に対応する、デフォルトでポートｐ０及びｐ１を含む。ＤＭＲＳポートグループ＃１は、ＰＱＩパラメータサブセット２−２に対応する、ポートｐ２、ｐ３、及びｐ４を含む。つまり、ＰＱＩパラメータサブセット２−１に対応するＴＲＰは、レイヤ３ではなくデフォルトによる送信レイヤ２である。柔軟なスケジューリングをサポートするために、ＤＭＲＳ情報のインジケーションビットに一つのオプションが追加され得る。つまり、五つのＤＭＲＳポートｐ２、ｐ３、ｐ４、ｐ０、及びｐ１のために、インジケーションビットに含まれるｐ０、ｐ１、ｐ２、ｐ３、及びｐ４と比較して、含まれるＤＭＲＳポートは変更されないが、順序が変更される。この場合、ｐ２、ｐ３、及びｐ４は、デフォルトでＰＱＩパラメータサブセット２−１に対応し、ポートｐ０及びｐ１は、ＰＱＩパラメータサブセット２−２に対応する。
【０１９５】
柔軟性を達成するために、ＤＭＲＳポートの異なる順序を示すための方法は、複数の定義されたＤＭＲＳ情報インジケータビットが、同じＤＭＲＳポートを含み、複数のインジケータビットが、ＤＭＲＳポートの異なる順序を示すことを含む。異なる順序のＤＭＲＳポートは、異なるＱＣＬパラメータに対応する。表９は、ＤＭＲＳ情報が、一つのＤＭＲＳシンボルを有するＤＭＲＳタイプ２を示す表である。表９のレイヤ３に示すように、
【０１９６】
【表９】
2020529797.tif 000011
【０１９７】
たとえば、ユーザのために基地局によって構成されたＤＭＲＳグループの最大数が１を超える場合、いくつかのＤＭＲＳポートのインジケーションは、いくつかの問題を有し得る。たとえば、一つのＤＭＲＳシンボルが使用され、一人のユーザＵＥ＃０の送信が六つのレイヤを有し（すなわち、ユーザのために構成されたＤＭＲＳポートの数は六つである）、ＰＱＩパラメータセットは、パラメータサブセット２−１及び２−２を含む。サブセット２−１によって示されるＱＣＬパラメータ情報と、サブセット２−２によって示されるＱＣＬパラメータ情報とが異なる場合、問題が生じ得る。各ＤＭＲＳポートグループが同数のＤＭＲＳポートを含んでいる、すなわち、各ＤＭＲＳポートグループが三つのＤＭＲＳポートを含んでいると仮定する。この場合、一つのＣＤＭグループは、異なるＤＭＲＳグループからの二つのＤＭＲＳポートを含み、これは、以前に事前定義されたルールに準拠していない。ルールは、同じＣＤＭグループにおけるＤＭＲＳポートは同じＱＣＬパラメータを有する必要があるということである。図３に示すように、たとえば、ポートグループ＃０は、ポートｐ０、ｐ１、及びｐ２を含み、ポートグループ＃１は、ポートｐ３、ｐ４、及びｐ５を含む。二つのポートグループにおけるＱＣＬパラメータが異なる場合、すなわち、ポートｐ２におけるＱＣＬパラメータと、ポートｐ３におけるＱＣＬパラメータとが異なる場合、ポートｐ２及びポートｐ３は一つのＣＤＭグループにあり、一つのＣＤＭグループにおけるＤＬＲＳポートは、同じＱＣＬパラメータを有するべきであるので、矛盾が発生する。
【０１９８】
この場合を回避するために、一人のユーザが六つのＤＭＲＳポートを構成し、六つのＤＭＲＳポートが一つのＤＭＲＳシンボルのみにマッピングされる場合、事前定義されたすべてのＤＭＲＳポートのＱＣＬは、ＱＣＬパラメータサブセット２−１の情報のみを使用するか、又はＱＣＬパラメータサブセット２−２の情報のみを使用する。言い換えると、一人のユーザが、二つのポートグループのＱＣＬ情報で構成され、そのユーザが、一つのＤＭＲＳシンボルにマップされる六つのＤＭＲＳポートで構成されている場合、事前定義されたすべてのＤＭＲＳポートが、ポートグループ＃０によって構成されたＱＣＬ情報を使用するか、又は、事前定義されたすべてのＤＭＲＳポートが、ポートグループ＃１によって構成されたＱＣＬ情報を使用する。より簡単に言えば、一人のユーザが二つのポートグループのＱＣＬ情報で構成され、一つのＤＭＲＳシンボルにマップされる六つのＤＭＲＳポートでユーザが構成されている場合、事前定義されたすべてのＤＭＲＳポートは、ポートグループ＃０に対応するＱＣＬ情報のみを使用し、ポートグループ＃１に対応するＱＣＬ情報を使用しない。
【０１９９】
拡張として、一人のユーザが、複数のＤＭＲＳポートグループのＱＣＬ構成情報で構成され、そのユーザに割り当てられた複数のポートグループにおけるいくつかのポートが、同じＣＤＭグループからのものである場合、この場合、事前定義されたすべてのＤＭＲＳポートは、ＤＭＲＳポートグループの一つに対応するＱＣＬ情報のみを使用する。又は、より直接的には、一人のユーザが、複数のＤＭＲＳポートグループのＱＣＬ構成情報で構成され、そのユーザに割り当てられた複数のポートグループにおけるいくつかのポートが、同じＣＤＭグループからのものである場合、この場合、事前定義されたすべてのＤＭＲＳポートは、複数のＤＭＲＳポートグループのうちの第一のＤＭＲＳポートグループに対応するＱＣＬ情報のみを使用する。たとえば、ＵＥ＃０は、二つのＤＭＲＳグループのＱＣＬ情報で構成され、ユーザのために基地局によって構成されたＤＭＲＳポートは、ポートｐ０及びｐ１である。ポートｐ０及びｐ１は、同じＣＤＭグループからのものであり、この場合、事前定義されたポートｐ０及びｐ１は、パラメータサブセット２−１において構成されたＱＣＬパラメータ情報のみを使用し、パラメータサブセット２−２において構成されたＱＣＬパラメータ情報を使用しない。
【０２００】
上記実施形態の説明から、上記実施形態における方法は、ソフトウェアに加えて必要な汎用ハードウェアプラットフォームによって実施され得ること、又は、もちろんハードウェアによって実施され得るが、多くの場合、前者が、推奨される実施モードであることが当業者に明らかであろう。この理解に基づいて、本願によって実質的に提供される解決策、又は関連技術と共有する部分は、ソフトウェア製品の形態で具現化され得る。ソフトウェア製品は、記憶媒体（ＲＯＭ／ＲＡＭ、磁気ディスク、又は光ディスクなど）に格納され、端末デバイス（これは、モバイル電話、コンピュータ、サーバ、又はネットワークデバイスであり得る）が、本願の各実施形態にしたがう方法を実行することを有効にするためのいくつかの命令を含む。
【０２０１】
基地局は、本願の別の実施形態によって提供される。図９は、本願の実施形態にしたがう基地局のハードウェア構成を示す図である。図９に示すように、基地局９０は以下を含む。
【０２０２】
‐ジョイントシグナリングを決定するように構成された第一のプロセッサ９０２。ジョイントシグナリングは、第一の情報及び第二の情報を含み、第一の情報は、準コロケーション構成情報と、送信ビームの構成情報とのうちの少なくとも一つを含み、第二の情報は、位相追跡基準信号構成情報と、復調基準信号の構成情報とのうちの少なくとも一つを含む。
【０２０３】
‐第二の通信ノードにジョイントシグナリングを送信するように構成された第一の通信デバイス９０４。
【０２０４】
補足する必要があるものは、方法の実施形態において第一の通信ノードによって実行され得る例示的な方法が、この実施形態において基地局９０によって実行され得ることである。
【０２０５】
端末は、本願の別の実施形態によって提供される。図１０は、本願の実施形態にしたがう端末のハードウェア構成を示す図である。図１０に図示されるように、端末１００は以下を含む。
【０２０６】
‐第一の通信ノードによって送信されたジョイントシグナリングを受信するように構成された第二の通信デバイス１００４。ジョイントシグナリングは、第一の情報及び第二の情報を含み、第一の情報は、準コロケーションの構成情報と、送信ビームの構成情報とのうちの少なくとも一つを含み、第二の情報は、位相追跡基準信号の構成情報と、復調基準信号の構成情報とのうちの少なくとも一つを含む。
【０２０７】
‐ジョイントシグナリングにしたがって第一の通信ノードによって送信されたデータを受信し、及び／又は、第一の通信ノードとのデータ送信を実行するように構成された第二のプロセッサ１００２。
【０２０８】
補足する必要があるものは、方法の実施形態において第二の通信ノードによって実行される例示的な方法が、この実施形態において端末１００によって実行され得ることである。
【０２０９】
補足する必要があるものは、端末１００が図１におけるモバイル端末であり得ることである。
【０２１０】
基準信号情報を示すためのデバイスは、第一の通信ノードに適用される本願の別の実施形態によって提供され、以下を含む。
【０２１１】
‐ジョイントシグナリングを決定するように構成された決定モジュール。ジョイントシグナリングは、第一の情報及び第二の情報を含み、第一の情報は、準コロケーション構成情報と、送信ビームの構成情報とのうちの少なくとも一つを含み、第二の情報は、位相追跡基準信号の構成情報と、復調基準信号の構成情報とのうちの少なくとも一つを含む。
【０２１２】
‐第二の通信ノードにジョイントシグナリングを送信するように構成された送信モジュール。
【０２１３】
補足する必要があるものは、方法の実施形態において第一の通信ノードによって実行される方法におけるステップが、上記仮想デバイスによって実行され得ることである。
【０２１４】
基準信号情報を示すためのデバイスは、第二の通信ノードに適用される本願の別の実施形態によって提供され、以下を含む。
【０２１５】
‐第一の通信ノードによって送信されたジョイントシグナリングを受信するように構成された受信モジュール。ジョイントシグナリングは、第一の情報及び第二の情報を含み、第一の情報は、準コロケーション構成情報と、送信ビームの構成情報とのうちの少なくとも一つを含み、第二の情報には、位相追跡基準信号の構成情報と、復調基準信号の構成情報とのうちの少なくとも一つを含む。
【０２１６】
‐ジョイントシグナリングにしたがって第一の通信ノードによって送信されたデータを受信し、及び／又は、第一の通信ノードとのデータ送信を実行するように構成された送信モジュール。
【０２１７】
補足する必要があるものは、方法の実施形態において第二の通信ノードによって実行される方法におけるステップが、上記仮想デバイスによって実行され得ることである。
【０２１８】
上記モジュールは、ソフトウェア又はハードウェアによって実施され得、ハードウェアは、以下の形態、すなわち、上記モジュールが、同じプロセッサに配置されること、又は、上記モジュールはそれぞれ異なるプロセッサに配置されることによって実現され得るが、それに限定されないことに留意されたい。
【０２１９】
この実施形態では、上記実施形態における第一の通信ノード及び第二の通信ノード、並びに、第一の通信ノード及び第二の通信ノードによって実行される方法におけるステップを含み得る、システムの実施形態がさらに提供される。
【０２２０】
プロセッサは、本願の別の実施形態によって提供される。プロセッサは、プログラムを実行するために使用される。実行されると、プログラムは、上記実施形態のうちのいずれか一つの方法を実行する。
【０２２１】
記憶媒体は、本願の別の実施形態によって提供される。記憶媒体は、プログラムを格納する。実行されると、プログラムは、上記実施形態のうちのいずれか一つの方法を実行する。
【０２２２】
明らかに、当業者は、本願の上記モジュール又はステップのおのおのが、汎用コンピューティングデバイスによって実施され得、モジュール又はステップが、単一のコンピューティングデバイスに集中され得、又は、複数のコンピューティングデバイスによって形成されたネットワーク上に分散され得、いくつかの実施形態において、モジュール又はステップは、コンピューティングデバイスによって実行可能なプログラムコードによって実施され得、これによって、モジュール又はステップは、記憶デバイスに格納され得、コンピューティングデバイスによって実行され得るようになる。いくつかの状況において、図示又は説明されているステップが、ここで説明されているものとは異なるシーケンスで実行され得るか、又は、モジュール又はステップが、様々な集積回路モジュールへ個別に作成され得るか、又は、ここで複数のモジュール又はステップが、実施のために単一の集積回路モジュールに作成され得る。このように、本願は、ハードウェアとソフトウェアの特定の組合せに限定されない。
【０２２３】
上記は本願の例に過ぎず、本願を限定することを意図されておらず、当業者にとって、本願は様々な修正及び変形を有し得る。本願の精神及び原理内でなされたあらゆる修正、同等の置換、改良などは、本願の範囲内にあるべきである。
【０２２４】
明らかに、当業者は、本開示の上記モジュール又はステップが、汎用コンピューティングデバイスによって実施され得、モジュール又はステップが、単一のコンピューティングデバイスに統合され得るか、又は、複数のコンピューティングデバイスによって形成されたネットワーク上に分散され得、及び代替として、モジュール又はステップが、コンピューティングデバイスによって実行可能なプログラムコードによって実施され得、モジュール又はステップが、記憶デバイスに格納され得、コンピューティングデバイスによって実行され得ることを理解すべきである。いくつかの状況において、図示又は説明されているステップは、ここで説明されているものとは異なるシーケンスで実行され得るか、又は、モジュール又はステップが、様々な集積回路モジュールに個別に作成され得るか、又は、その中の複数のモジュール又はステップが、実施のために単一の集積回路モジュールに作成され得る。このように、本願は、ハードウェアとソフトウェアの任意の特定の組合せに限定されない。
【０２２５】
上記は本願の実施形態であり、本願を限定することを意図されておらず、当業者にとって、本願は様々な修正及び変形を有し得る。本願の精神及び原理内でなされたあらゆる修正、同等の置換、改良などは、本願の範囲内にある。
【図１】
2020529797.tif 000012
【図２】
2020529797.tif 000013
【図３】
2020529797.tif 000014
【図４】
2020529797.tif 000015
【図５】
2020529797.tif 000016
【図６】
2020529797.tif 000017
【図７】
2020529797.tif 000018
【図８】
2020529797.tif 000019
【図９】
2020529797.tif 000020
【図１０】
2020529797.tif 000021
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局によって、位相追跡基準信号のポート情報に対応するサウンディング基準信号リソースインジケータ又は送信プリコーダ行列インジケータを決定することと、
前記基地局によって、前記サウンディング基準信号リソースインジケータ又は前記送信プリコーダ行列インジケータを含むダウンリンク制御情報（ＤＣＩ）メッセージを、端末デバイスに送信することと、
を備える、方法。
【請求項２】
前記位相追跡基準信号の前記ポート情報は、位相追跡基準信号ポートの数を備える、請求項１に記載の方法。
【請求項３】
前記基地局によって、上位レイヤシグナリングによって、前記位相追跡基準信号のポート識別子に対応する第一のサウンディング基準信号（ＳＲＳ）リソースを構成するための情報を、前記端末デバイスに送信することを備える、請求項１に記載の方法。
【請求項４】
前記基地局によって、前記位相追跡基準信号の同じポート識別子に対応する第二のＳＲＳリソースを構成するための情報を、前記端末デバイスに送信することをさらに備え、
前記第一のＳＲＳリソースに対応する第一の復調基準信号（ＤＭＲＳ）ポートと、前記第二のＳＲＳリソースに対応する第二のＤＭＲＳポートとが、前記位相追跡基準信号の同じポートに関連付けられる、
請求項３に記載の方法。
【請求項５】
前記位相追跡基準信号の前記ポート情報は、前記位相追跡基準信号のポート識別子を一つ以上含む、請求項１に記載の方法。
【請求項６】
ワイヤレス通信のための方法であって、
端末デバイスによって、基地局からダウンリンク制御情報（ＤＣＩ）メッセージを受信することであって、前記ＤＣＩメッセージは、位相追跡基準信号のポート情報に対応するサウンディング基準信号リソースインジケータ又は送信プリコーダ行列インジケータを含む、受信することと、
前記端末デバイスによって、前記位相追跡基準信号の前記ポート情報を使用して、アップリンク送信を実行することと、
を備える、方法。
【請求項７】
前記位相追跡基準信号の前記ポート情報は、位相追跡基準信号ポートの数を備える、請求項６に記載の方法。
【請求項８】
前記端末デバイスによって、前記位相追跡基準信号のポート識別子に対応する第一のサウンディング基準信号（ＳＲＳ）リソースを構成するための情報を、上位レイヤシグナリングメッセージによって、前記基地局から受信することを備える、請求項６に記載の方法。
【請求項９】
前記端末デバイスによって、前記位相追跡基準信号の同じポート識別子に対応する第二のＳＲＳリソースを構成するための情報を、前記基地局から受信することをさらに備え、
前記第一のＳＲＳリソースに対応する第一の復調基準信号（ＤＭＲＳ）ポートと、前記第二のＳＲＳリソースに対応する第二のＤＭＲＳポートとが、前記位相追跡基準信号の同じポートに関連付けられる、
請求項８に記載の方法。
【請求項１０】
位相追跡基準信号の前記ポート情報は、前記位相追跡基準信号のポート識別子を一つ以上含む、請求項６に記載の方法。
【請求項１１】
ワイヤレス通信デバイスであって、
プロセッサと、
プロセッサ実行可能コードを含むメモリと、
を備え、
前記プロセッサ実行可能コードは、前記プロセッサによって実行されると、請求項１から５のいずれか一項に記載の方法を実施するように前記プロセッサを構成する、ワイヤレス通信デバイス。
【請求項１２】
ワイヤレス通信デバイスであって、
プロセッサと、
プロセッサ実行可能コードを含むメモリと、
を備え、
前記プロセッサ実行可能コードは、前記プロセッサによって実行されると、請求項６から１０のいずれか一項に記載の方法を実施するように前記プロセッサを構成する、ワイヤレス通信デバイス。
【請求項１３】
格納されたコードを有する非一時的な記憶媒体であって、前記コードは、プロセッサによって実行されると、前記プロセッサに、請求項１から１０のいずれか一項に記載の方法を実施させる、非一時的な記憶媒体。
【国際調査報告】
2020529797.tif 000022
2020529797.tif 000023
2020529797.tif 000024
2020529797.tif 000025